(57)【要約】【課題】  著作権を好適に保護しつつもＨＤ及びＳＤの夫々のコンテンツ情報を好適に視聴する。【解決手段】  情報記録装置（１）は、第１記録媒体（２０）に記録された第１再生品質（ＨＤ）の第１コンテンツ情報を第２記録媒体（２０）へムーブする情報記録装置であって、所定のスクランブルキーに基づいて第１コンテンツ情報をスクランブル処理することで、スクランブル情報を生成するスクランブル手段（３５）と、第１コンテンツ情報のムーブ先である第２記録媒体を識別するための識別子を記憶する識別子記憶手段（１０／５１）と、ムーブ処理及びスクランブル処理の夫々の経緯を示す経緯情報を生成する経緯情報生成手段（５０）とを備える。【選択図】  図１
2006024320.tif 000002
【特許請求の範囲】
【請求項１】
第１記録媒体に記録された第１再生品質の第１コンテンツ情報を第２記録媒体へムーブする情報記録装置であって、
所定のスクランブルキーに基づいて前記第１コンテンツ情報をスクランブル処理することで、スクランブル情報を生成するスクランブル手段と、
前記第１コンテンツ情報のムーブ先である前記第２記録媒体を識別するための識別子を記憶する識別子記憶手段と、
前記ムーブ処理及び前記スクランブル処理の夫々の経緯を示す経緯情報を生成する経緯情報生成手段と
を備えることを特徴とする情報記録装置。
【請求項２】
前記第１コンテンツ情報をダウンコンバートして前記第１再生品質より低精細度な第２再生品質の第２コンテンツ情報としてダウンコンバート手段と、
前記第２記録媒体に前記第２コンテンツ情報を記録する第１記録手段と、
前記第２記録媒体に前記第２コンテンツ情報が記録される場合、前記第１記録媒体に記録された前記第１コンテンツ情報を消去する消去手段と
を更に備えることを特徴とする請求項１に記載の情報記録装置。
【請求項３】
前記第１記録手段は更に、前記生成された経緯情報を前記第２記録媒体へ記録することを特徴とする請求項２に記載の情報記録装置。
【請求項４】
前記経緯情報は、前記スクランブルキー、前記ムーブ処理を行った情報記録装置、前記ムーブ処理がなされた前記第１コンテンツ情報、及び前記ムーブ処理された第２コンテンツ情報の前記第２記録媒体上における記録位置のうち少なくとも一つを特定可能な情報を含むことを特徴とする請求項１から３のいずれか一項に記載の情報記録装置。
【請求項５】
前記識別子は、前記第２記録媒体に固有の情報であることを特徴とする請求項１から４のいずれか一項に記載の情報記録装置。
【請求項６】
前記第１記録媒体に前記スクランブル情報を記録する第２記録手段を更に備えることを特徴とする請求項１から５のいずれか一項に記載の情報記録装置。
【請求項７】
前記スクランブルキーを生成するキー生成手段を更に備えることを特徴とする請求項１から６のいずれか一項に記載の情報記録装置。
【請求項８】
前記第１コンテンツ情報及び前記スクランブル情報の夫々のデータ構造の相違に基づいて前記スクランブル情報を抽出する抽出手段と、
前記抽出されたスクランブル情報の一覧を表示する表示手段を更に備えることを特徴とする請求項１から７のいずれか一項に記載の情報記録装置。
【請求項９】
第１記録媒体に記録された第１再生品質の第１コンテンツ情報を第２記録媒体へムーブする情報記録方法であって、
所定のスクランブルキーに基づいて前記第１コンテンツ情報をスクランブル処理することで、スクランブル情報を生成するスクランブル工程と、
前記第１コンテンツ情報のムーブ先である前記第２記録媒体を識別するための識別子を記憶する識別子記憶工程と、
前記ムーブ処理及び前記スクランブル処理の夫々の経緯を示す経緯情報を生成する経緯情報生成工程と
を備えることを特徴とする情報記録方法。
【請求項１０】
請求項１から８のいずれか一項に記載の情報記録装置により前記第２記録媒体へムーブされる前記第１コンテンツ情報を再生する情報再生装置であって、
当該情報再生装置による再生の対象となる前記第２記録媒体の前記識別子が、前記識別子記憶手段に記憶されている前記第１コンテンツのムーブ先である前記第２記録媒体の識別子に含まれているか否かを判定する第１判定手段と、
前記第１判定手段により含まれていると判定された場合に、前記経緯情報を取得する取得手段と、
前記経緯情報より特定される前記スクランブル情報及び前記スクランブルキーの夫々に基づいて、前記第１コンテンツ情報を生成するコンテンツ情報生成手段と、
前記生成される前記第１コンテンツ情報を再生する再生手段と
を備えることを特徴とする情報再生装置。
【請求項１１】
前記第２記録媒体には前記経緯情報が記録されており、前記取得手段は前記第２記録媒体より前記経緯情報を取得し、
前記取得された経緯情報を参照することで、当該情報再生装置において前記第１コンテンツ情報を再生することが可能か否かを判定する第２判定手段を更に備え、
前記コンテンツ情報生成手段は、前記第２判定手段により可能であると判定された場合に前記第１コンテンツ情報を生成することを特徴とする請求項１０に記載の情報再生装置。
【請求項１２】
前記第１コンテンツ情報及び前記スクランブル情報の夫々のデータ構造の相違に基づいて前記スクランブル情報を抽出する抽出手段と、
前記抽出されたスクランブル情報の一覧を表示する表示手段を更に備えることを特徴とする請求項１０又は１１に記載の情報再生装置。
【請求項１３】
請求項１から８のいずれか一項に記載の情報記録装置により前記第２記録媒体へムーブされる前記第１コンテンツ情報を再生する情報再生方法であって、
当該情報再生装置による再生の対象となる前記第２記録媒体の前記識別子が、前記識別子記憶手段に記憶されている前記第１コンテンツのムーブ先である前記第２記録媒体の識別子に含まれているか否かを判定する第１判定工程と、
前記第１判定手段により含まれていると判定された場合に、前記経緯情報を取得する取得工程と、
前記経緯情報より特定される前記スクランブル情報及び前記スクランブルキーの夫々に基づいて、前記第１コンテンツ情報を生成するコンテンツ情報生成工程と、
前記生成される前記第１コンテンツ情報を再生する再生工程と
を備えることを特徴とする情報再生方法。
【請求項１４】
第１記録媒体に記録された第１再生品質の第１コンテンツ情報を第２記録媒体へムーブ処理する情報記録再生装置であって、
所定のスクランブルキーに基づいて前記第１コンテンツ情報をスクランブル処理することで、スクランブル情報を生成するスクランブル手段と、
前記第１コンテンツ情報のムーブ先である前記第２記録媒体を識別するための識別子を記憶する識別子記憶手段と、
前記ムーブ処理及び前記スクランブル処理の夫々の経緯を示す経緯情報を生成する経緯情報生成手段と、
当該情報記録再生装置による再生の対象となる前記第２記録媒体の前記識別子が、前記識別子記憶手段に記憶されている前記第１コンテンツのムーブ先である前記第２記録媒体の識別子に含まれているか否かを判定する第１判定手段と、
前記第１判定手段により含まれていると判定された場合に、前記経緯情報を取得する取得手段と、
前記経緯情報より特定される前記スクランブル情報及び前記スクランブルキーの夫々に基づいて、前記第１コンテンツ情報を生成するコンテンツ情報生成手段と、
前記生成される前記第１コンテンツ情報を再生する再生手段と
を備えることを特徴とする情報記録再生装置。
【請求項１５】
前記第２記録媒体には、前記ムーブ処理を行った情報記録再生装置を特定可能な情報を含んだ前記経緯情報が記録されており、前記取得手段は前記第２記録媒体より前記経緯情報を取得し、
前記取得された経緯情報により特定される情報記録再生装置が、当該情報記録再生装置と一致するか否かを判定する第２判定手段を更に備え、
前記コンテンツ情報生成手段は、前記第２判定手段により一致していると判定された場合に前記第１コンテンツ情報を生成することを特徴とする請求項１４に記載の情報記録再生装置。
【請求項１６】
前記第１コンテンツ情報及び前記スクランブル情報の夫々のデータ構造の相違に基づいて前記スクランブル情報を抽出する抽出手段と、
前記抽出されたスクランブル情報の一覧を表示する表示手段を更に備えることを特徴とする請求項１４又は１５に記載の情報記録装置。
【請求項１７】
第１記録媒体に記録された第１再生品質の第１コンテンツ情報を第２記録媒体へムーブ処理する情報記録再生方法であって、
所定のスクランブルキーに基づいて前記第１コンテンツ情報をスクランブル処理することで、スクランブル情報を生成するスクランブル工程と、
前記第１コンテンツ情報のムーブ先である前記第２記録媒体を識別するための識別子を記憶する識別子記憶工程と、
前記ムーブ処理及び前記スクランブル処理の夫々の経緯を示す経緯情報を生成する経緯情報生成工程と、
当該情報記録再生装置による再生の対象となる前記第２記録媒体の前記識別子が、前記識別子記憶手段に記憶されている前記第１コンテンツのムーブ先である前記第２記録媒体の識別子に含まれているか否かを判定する第１判定工程と、
前記第１判定手段により含まれていると判定された場合に、前記経緯情報を取得する取得工程と、
前記経緯情報より特定される前記スクランブル情報及び前記スクランブルキーの夫々に基づいて、前記第１コンテンツ情報を生成するコンテンツ情報生成工程と、
前記生成される前記第１コンテンツ情報を再生する再生工程と
を備えることを特徴とする情報記録再生方法。
【請求項１８】
請求項１から８のいずれか一項に記載の情報記録装置に備えられたコンピュータを制御する記録制御用のコンピュータプログラムであって、該コンピュータを、前記スクランブル手段、前記識別子記憶手段及び前記経緯情報生成手段のうち少なくとも一部として機能させることを特徴とするコンピュータプログラム。
【請求項１９】
請求項１０から１２のいずれか一項に記載の情報再生装置に備えられたコンピュータを制御する再生制御用のコンピュータプログラムであって、該コンピュータを、前記第１判定手段、前記取得手段、前記コンテンツ情報生成手段及び前記再生手段のうち少なくとも一部として機能させることを特徴とするコンピュータプログラム。
【請求項２０】
請求項１４から１６のいずれか一項に記載の情報記録再生装置に備えられたコンピュータを制御する記録再生制御用のコンピュータプログラムであって、該コンピュータを、前記スクランブル手段、前記識別子記憶手段、前記経緯情報生成手段、前記第１判定手段、前記取得手段、前記コンテンツ情報生成手段及び前記再生手段のうち少なくとも一部として機能させることを特徴とするコンピュータプログラム。
【発明の詳細な説明】
【技術分野】
【０００１】
本発明は、例えばＤＶＤレコーダやＤＶＤプレーヤ等の情報記録装置及び方法、情報再生装置及び方法、並びにコンピュータをこのような情報記録装置等として機能させるコンピュータプログラムの技術分野に関する。
【背景技術】
【０００２】
現在、地上波デジタル放送やＢＳデジタル放送等が開始され、家庭においても高画質なデジタル放送を視聴できるような環境が整いつつある。このようなデジタル放送では、いわゆる標準放送（以下、ＳＤ（Standard Definition）と称する）或いはＳＤＴＶの品質を有するコンテンツ情報から更に進んで、ハイビジョン放送（以下、ＨＤ（High Definition）と称する）或いはＨＤＴＶの品質を有するコンテンツ情報を視聴することができる。
【０００３】
他方、このようなデジタル放送により放送されるコンテンツ情報は、デジタルデータであるがゆえに、複製によっても画質の劣化がなく、容易にコピーを作成することができる。このため、デジタルデータ（或いは、デジタル放送に係るコンテンツ情報）のコピーが、著作権の保護という点において問題となっている。このような著作権の保護を実現すべく、様々な著作権保護技術が開発されている（特許文献１から３参照）。特に、ＤＶＤ等の記録媒体において採用されているＣＰＰＭ（Content Protection for Prerecorded Media）やＣＰＲＭ（Content Protection for Recording Media）といった著作権保護技術は、不正なコピーを防ぐための技術であり、例えばコンテンツ情報にコピーワンスの制約をかけることによって、コンテンツ情報の著作権を適切に保護している。
【０００４】
【特許文献１】特開２０００−３２４４４３号公報
【特許文献２】特開２０００−２９８９２６号公報
【特許文献３】特開平９−１７１６５８号公報
【発明の開示】
【発明が解決しようとする課題】
【０００５】
２００４年４月より、現在放送されている地上波デジタル放送やＢＳデジタル放送には、著作権保護の観点から放送される全ての番組（コンテンツ情報）がコピーワンスの制約を受けることになる。
【０００６】
このコピーワンスの制約により、例えばハードディスクに録画されたコンテンツ情報をＤＶＤ等の他の記録媒体に移す場合には、ハードディスクに録画された元のコンテンツ情報を消去する、いわゆるＭＯＶＥ動作（ムーブ動作・ムーブ処理）のみが可能となる。例えば、自宅でＨＤのコンテンツ情報をハードディスクに録画した後に、このコンテンツ情報をＤＶＤ等に記録して外出先等で視聴したいユーザもいる。この場合、ハードディスクに録画されたＨＤのコンテンツ情報がＳＤのコンテンツ情報としてＤＶＤ等に記録され、且つハードディスクに録画されたＨＤのコンテンツ情報が消去されるというＭＯＶＥ動作が行なわれる。このＭＯＶＥ動作により、コンテンツ情報の著作権を適切に保護しつつも、コピーワンスの制約を受けるコンテンツ情報を他の記録媒体へ記録することが可能となる。
【０００７】
このとき、ユーザが再度ＨＤのコンテンツ情報を視聴したいと欲しても、既にＳＤのコンテンツ情報しか手元には残っておらず、ＨＤのコンテンツ情報を視聴することができないという問題点を有している。このような問題は、デジタル放送の普及を妨げるのみならず、ハードディスクレコーダ等の情報機器の魅力をも半減させることにも繋がりかねず、好ましいものではない。
【０００８】
本発明は、例えば上述した従来の問題点に鑑みなされたものであり、例えば著作権を好適に保護しつつもコンテンツ情報を好適に視聴することを可能とならしめる情報記録装置及び方法、情報再生装置及び方法、情報記録再生装置及び方法、並びにコンピュータをこのような情報記録装置等として機能させるコンピュータプログラムを提供することを課題とする。
【課題を解決するための手段】
【０００９】
上記課題を解決するために、請求項１に記載の情報記録装置は、第１記録媒体に記録された第１再生品質の第１コンテンツ情報を第２記録媒体へムーブする情報記録装置であって、所定のスクランブルキーに基づいて前記第１コンテンツ情報をスクランブル処理することで、スクランブル情報を生成するスクランブル手段と、前記第１コンテンツ情報のムーブ先である前記第２記録媒体を識別するための識別子を記憶する識別子記憶手段と、前記ムーブ処理及び前記スクランブル処理の夫々の経緯を示す経緯情報を生成する経緯情報生成手段とを備える。
【００１０】
上記課題を解決するために、請求項９に記載の情報記録方法は、第１記録媒体に記録された第１再生品質の第１コンテンツ情報を第２記録媒体へムーブする情報記録方法であって、所定のスクランブルキーに基づいて前記第１コンテンツ情報をスクランブル処理することで、スクランブル情報を生成するスクランブル工程と、前記第１コンテンツ情報のムーブ先である前記第２記録媒体を識別するための識別子を記憶する識別子記憶工程と、前記ムーブ処理及び前記スクランブル処理の夫々の経緯を示す経緯情報を生成する経緯情報生成工程と備える。
【００１１】
上記課題を解決するために、請求項１０に記載の情報再生装置は、請求項１から８のいずれか一項に記載の情報記録装置により前記第２記録媒体へムーブされる前記第１コンテンツ情報を再生する情報再生装置であって、当該情報再生装置による再生の対象となる前記第２記録媒体の前記識別子が、前記識別子記憶手段に記憶されている前記第１コンテンツのムーブ先である前記第２記録媒体の識別子に含まれているか否かを判定する第１判定手段と、前記第１判定手段により含まれていると判定された場合に、前記経緯情報を取得する取得手段と、前記経緯情報より特定される前記スクランブル情報及び前記スクランブルキーの夫々に基づいて、前記第１コンテンツ情報を生成するコンテンツ情報生成手段と、前記生成される前記第１コンテンツ情報を再生する再生手段とを備える。
【００１２】
上記課題を解決するために、請求項１３に記載の情報再生方法は、請求項１から８のいずれか一項に記載の情報記録装置により前記第２記録媒体へムーブされる前記第１コンテンツ情報を再生する情報再生方法であって、当該情報再生装置による再生の対象となる前記第２記録媒体の前記識別子が、前記識別子記憶手段に記憶されている前記第１コンテンツのムーブ先である前記第２記録媒体の識別子に含まれているか否かを判定する第１判定工程と、前記第１判定手段により含まれていると判定された場合に、前記経緯情報を取得する取得工程と、前記経緯情報より特定される前記スクランブル情報及び前記スクランブルキーの夫々に基づいて、前記第１コンテンツ情報を生成するコンテンツ情報生成工程と、前記生成される前記第１コンテンツ情報を再生する再生工程とを備える。
【００１３】
上記課題を解決するために、請求項１４に記載の情報記録再生装置は、第１記録媒体に記録された第１再生品質の第１コンテンツ情報を第２記録媒体へムーブ処理する情報記録再生装置であって、所定のスクランブルキーに基づいて前記第１コンテンツ情報をスクランブル処理することで、スクランブル情報を生成するスクランブル手段と、前記第１コンテンツ情報のムーブ先である前記第２記録媒体を識別するための識別子を記憶する識別子記憶手段と、前記ムーブ処理及び前記スクランブル処理の夫々の経緯を示す経緯情報を生成する経緯情報生成手段と、当該情報記録再生装置による再生の対象となる前記第２記録媒体の前記識別子が、前記識別子記憶手段に記憶されている前記第１コンテンツのムーブ先である前記第２記録媒体の識別子に含まれている否かを判定する第１判定手段と、前記第１判定手段により含まれていると判定された場合に、前記経緯情報を取得する取得手段と、前記経緯情報より特定される前記スクランブル情報及び前記スクランブルキーの夫々に基づいて、前記第１コンテンツ情報を生成するコンテンツ情報生成手段と、前記生成される前記第１コンテンツ情報を再生する再生手段とを備える。
【００１４】
上記課題を解決するために、請求項１７に記載の情報記録再生方法は、第１記録媒体に記録された第１再生品質の第１コンテンツ情報を第２記録媒体へムーブ処理する情報記録再生方法であって、所定のスクランブルキーに基づいて前記第１コンテンツ情報をスクランブル処理することで、スクランブル情報を生成するスクランブル工程と、前記第１コンテンツのムーブ先である前記第２記録媒体を識別するための識別子を記憶する識別子記憶工程と、前記ムーブ処理及び前記スクランブル処理の夫々の経緯を示す経緯情報を生成する経緯情報生成工程と、当該情報記録再生装置による再生の対象となる前記第２記録媒体の前記識別子が、前記識別子記憶手段に記憶されている前記第１コンテンツのムーブ先である前記第２記録媒体の識別子に含まれている否かを判定する第１判定工程と、前記第１判定手段により含まれていると判定された場合に、前記経緯情報を取得する取得工程と、前記経緯情報より特定される前記スクランブル情報及び前記スクランブルキーの夫々に基づいて、前記第１コンテンツ情報を生成するコンテンツ情報生成工程と、前記生成される前記第１コンテンツ情報を再生する再生工程とを備える。
【００１５】
上記課題を解決するために、請求項１８に記載のコンピュータプログラムは、請求項１から８のいずれか一項に記載の情報記録装置に備えられたコンピュータを制御する記録制御用のコンピュータプログラムであって、該コンピュータを、前記スクランブル手段、前記識別子記憶手段及び前記経緯情報生成手段のうち少なくとも一部として機能させる。
【００１６】
上記課題を解決するために、請求項１９に記載のコンピュータプログラムは、請求項１０から１２のいずれか一項に記載の情報再生装置に備えられたコンピュータを制御する再生制御用のコンピュータプログラムであって、該コンピュータを、前記第１判定手段、前記取得手段、前記コンテンツ情報生成手段及び前記再生手段のうち少なくとも一部として機能させる。
【００１７】
上記課題を解決するために、請求項２０に記載のコンピュータプログラムは、請求項１４から１６のいずれか一項に記載の情報記録再生装置に備えられたコンピュータを制御する記録再生制御用のコンピュータプログラムであって、該コンピュータを、前記スクランブル手段、前記識別子記憶手段、前記経緯情報生成手段、前記第１判定手段、前記取得手段、前記コンテンツ情報生成手段及び前記再生手段のうち少なくとも一部として機能させる。
【００１８】
本発明の作用及び他の利得は次に説明する実施の形態から明らかにされよう。
【発明を実施するための最良の形態】
【００１９】
以下、発明を実施するための最良の形態としての本発明の実施形態に係る情報記録装置及び方法、情報再生装置及び方法、情報記録再生装置及び方法、並びにコンピュータプログラムについて順に説明する。
【００２０】
（情報記録装置の実施形態）
本発明の情報記録装置に係る実施形態は、第１記録媒体に記録された第１再生品質の第１コンテンツ情報を第２記録媒体へムーブする情報記録装置であって、所定のスクランブルキーに基づいて前記第１コンテンツ情報をスクランブル処理することで、スクランブル情報を生成するスクランブル手段と、前記第１コンテンツ情報のムーブ先である前記第２記録媒体を識別するための識別子を記憶する識別子記憶手段と、前記ムーブ処理及び前記スクランブル処理の夫々の経緯を示す経緯情報を生成する経緯情報生成手段とを備える。
【００２１】
本発明の情報記録媒体に係る実施形態によれば、スクランブル手段の動作により、所定のスクランブルキーに基づいて第１コンテンツ情報にスクランブル処理が施される。その結果、第１コンテンツ情報からスクランブル情報が生成される。ここに、本発明における「スクランブル処理」とは、所定の映像等を示すコンテンツ情報を、当該所定の映像等を単体では示し得ない情報（即ち、スクランブル情報）へと変換する処理を示す趣旨である。即ち、スクランブル情報は、それ自体はコンテンツ情報を示す情報ではなく、スクランブルキーと共にデータ処理等をすることで、初めて各種映像や音声等を示す情報（具体的には、第１コンテンツ情報）となる。従って、スクランブル情報が生成される限りにおいては、コンテンツの著作権を適切に保護することができる。
【００２２】
本実施形態では特に、識別子記憶手段の動作により、第１コンテンツ情報をムーブ処理した先の第２記録媒体を一意に識別する識別子を記憶する。加えて、経緯情報作成手段の動作により、スクランブル処理に関する経緯（例えば、後述するように、どのようなスクランブルキーを用いてどのようなスクランブル処理を行ったか）やムーブ処理に関する経緯（例えば、後述するように、どの第１コンテンツ情報をどの記録媒体又は装置からどの記録媒体等へムーブ処理したか）を示す経緯情報を作成する。
【００２３】
このため、後述するように、スクランブルキーに基づいてスクランブル情報から第１コンテンツ情報を生成する際には、この識別子や経緯情報を参照することで、正規にスクランブル処理がなされたり或いは正規にムーブ処理されたりした第１コンテンツ情報を好適に再生することができる。一方で、この識別子や経緯情報を参照することで、不正に複製されたスクランブル情報等からの第１コンテンツ情報等の不正な再生を好適に防ぐことができる。例えば、識別子記憶手段に記憶された識別子を参照すると、本来第１コンテンツ情報がムーブ処理されていないことが判明した第２記録媒体の再生が指示された場合であっても、その不正な再生を防止することができる。これにより、コンテンツの著作権をより好適に保護することができる。
【００２４】
従って、コンテンツの著作権が好適に保護されつつも、ユーザは、例えば第１再生品質から、より低精細度な第２再生品質にダウンコンバートされたコンテンツ情報（例えば後述する第２コンテンツ情報）が他の記録媒体に記録された後であっても、スクランブル情報に基づいて、再度第１再生品質に係る第１コンテンツ情報を視聴することが可能となる。即ち、例えば、相対的に高精細度なデジタル放送の番組を第１記録媒体に録画した後に、当該番組を相対的に低精細度な番組にダウンコンバートして第２記録媒体に記録しても、再び相対的に高精細度な番組として視聴することができる。もちろん、低精細度な番組としても視聴することもできる。
【００２５】
以上の結果、本実施形態に係る情報記録装置によれば、コンテンツの著作権を好適に保護しつつも、ユーザはコンテンツ情報を好適に視聴することができる。
【００２６】
本発明の情報記録装置に係る実施形態の一の態様は、前記第１コンテンツ情報をダウンコンバートして前記第１再生品質より低精細度な第２再生品質の第２コンテンツ情報としてダウンコンバート手段と、前記第２記録媒体に前記第２コンテンツ情報を記録する第１記録手段と、前記第２記録媒体に前記第２コンテンツ情報が記録される場合、前記第１記録媒体に記録された前記第１コンテンツ情報を消去する消去手段とを備える。
【００２７】
この態様によれば、ダウンコンバート手段の動作により、第１記録媒体に記録されている第１再生品質（ＨＤ）に係る第１コンテンツ情報がダウンコンバートされ、第２再生品質（ＳＤ）に係る第２コンテンツ情報が生成される。このとき、第２再生品質は第１再生品質と比較してより低精細度であるため、第２コンテンツ情報のデータサイズは第１コンテンツ情報のデータサイズと比較してより小さくなっている。そして、この生成された第２コンテンツ情報は、第１記録手段の動作により第２記録媒体に記録される。
【００２８】
一方、第２コンテンツ情報が第２記録媒体に記録された後には、消去手段の動作により、第１記録媒体に記録されている第１コンテンツ情報が消去される。これにより、コンテンツの著作権を適切に保護することができる。
【００２９】
以上の結果、本実施形態に係る情報記録装置によれば、コンテンツの著作権を好適に保護しつつも、ユーザは所望の再生品質（例えば、後述のＨＤ画質に相当する第１再生品質或いは後述のＳＤ画質に相当する第２再生品質）に係るコンテンツ情報を好適に視聴する
上述の如く第１記録手段等を備える情報記録装置の態様では、前記第１記録手段は更に、前記生成された経緯情報を前記第２記録媒体へ記録するように構成してもよい。
【００３０】
このように構成すれば、正規に第１コンテンツ情報がムーブ処理された第２記録媒体に経緯情報が記録される。従って、経緯情報のみを不正にコピーしても、正規に第１コンテンツ情報がムーブ処理された第２記録媒体でなければ当該経緯情報を用いて、後述する第１コンテンツ情報等の再生を行うことができない。従って、コンテンツの著作権をより好適に保護することが可能となる。
【００３１】
本発明の情報記録装置に係る実施形態の他の態様は、前記経緯情報は、前記スクランブルキー、前記ムーブ処理を行った情報記録装置、前記ムーブ処理がなされた前記第１コンテンツ情報、及び前記ムーブ処理された第２コンテンツ情報の前記第２記録媒体上における記録位置のうち少なくとも一つを特定可能な情報を含む。
【００３２】
この態様によれば、これらの経緯情報を適宜参照することで、第１コンテンツ情報等の不正な再生をより効果的に防止することが可能となる。従って、コンテンツの著作権をより好適に保護することが可能となる。尚、このほかに例えばムーブ先の第２記録媒体に関する情報等を経緯情報に含めてもよい。
【００３３】
本発明の情報記録装置に係る実施形態の他の態様は、前記識別子は、前記第２記録媒体に固有の情報である。
【００３４】
この態様によれば、識別子を参照することで、正規に第１コンテンツ情報がムーブ処理された第２記録媒体を一意に特定することができる。従って、識別子を参照することで、不正にコピーされた第２記録媒体からのコンテンツ情報の再生をより効果的に防止することが可能となる。
【００３５】
本発明の情報記録装置に係る実施形態の他の態様は、前記第１記録媒体に前記スクランブル情報を記録する第２記録手段を更に備える。
【００３６】
この態様によれば、第１記録媒体に記録されたスクランブル情報を用いて、後述する各種動作（特に、第１コンテンツ情報の生成動作）を適切に行うことができる。
【００３７】
本発明の情報記録装置に係る実施形態の他の態様は、前記スクランブルキーを生成するキー生成手段を備える。
【００３８】
この態様によれば、キー生成手段の動作により、よりコンテンツの著作権を好適に保護し得る或いはよりセキュアなスクランブルキーを作成することができる。或いは、スクランブル処理毎に異なるスクランブルキーを作成することができる。
【００３９】
本発明の情報記録装置に係る実施形態の他の態様は、前記第１コンテンツ情報及び前記スクランブル情報の夫々のデータ構造の相違に基づいて前記スクランブル情報を抽出する抽出手段と、前記抽出されたスクランブル情報の一覧を表示する表示手段を更に備える。
【００４０】
この態様によれば、第１コンテンツ情報とスクランブル情報とのデータ構造における相違に基づくことで、例えば第１記録媒体に混在して記録され得る第１コンテンツ情報及びスクランブル情報より、スクランブル情報を選択的に抽出（リストアップ）することができる。そして、例えば第１記録媒体等に記録されていくスクランブル情報の一覧を表示し、例えば所定のスクランブル情報等を消去する旨の指示をユーザより入力させるように構成することもできる。
【００４１】
本発明の情報記録装置に係る実施形態の他の態様は、少なくとも前記第２記録媒体から読出可能な情報に基づいて前記スクランブルキーを生成するキー生成手段を更に備える。
【００４２】
この態様によれば、例えば第２コンテンツ情報が記録される第２記録媒体に固有のスクランブルキーを生成することが可能となる。言い換えれば、スクランブルキーを生成するためには、実際に例えば第２コンテンツ情報が記録される第２記録媒体が必要とされる。即ち、ここでの「スクランブルキー」とは、少なくとも第２記録媒体から読み出される情報に基づかなければ生成することができないキーである。このため、スクランブルキーの不正な生成（複製）をより効果的に防止することができる。従って、不正にスクランブル情報を取得する者が仮にいたとしても、容易にスクランブルキーを生成することはできず、その結果、コンテンツの著作権をより好適に保護することが可能となる。
【００４３】
上述の如くキー生成手段を備える情報記録装置の態様では、前記読出可能な情報は、前記第２コンテンツ情報が記録される前記第２記録媒体に固有の情報を含むように構成してもよい。また、前記読出可能な情報は、前記第２コンテンツ情報の少なくとも一部を含むように構成してもよい。また、前記読出可能な情報は、前記第１コンテンツ情報の著作権保護に用いられる暗号化キー及び該暗号化キーを生成するために必要な情報を含むように構成してもよい。
【００４４】
このように構成すれば、スクランブルキーの不正な生成（複製）をより効果的に或いはより強固に防止することができ、その結果コンテンツの著作権をより好適に保護することが可能となる。
【００４５】
（情報記録方法の実施形態）
本発明の情報記録方法に係る実施形態は、第１記録媒体に記録された第１再生品質の第１コンテンツ情報を第２記録媒体へムーブする情報記録方法であって、所定のスクランブルキーに基づいて前記第１コンテンツ情報をスクランブル処理することで、スクランブル情報を生成するスクランブル工程と、前記第１コンテンツのムーブ先である前記第２記録媒体を識別するための識別子を記憶する識別子記憶工程と、前記ムーブ処理及び前記スクランブル処理の夫々の経緯を示す経緯情報を生成する経緯情報生成工程とを備える。
【００４６】
本発明の情報記録方法に係る実施形態によれば、上述した本発明の情報記録装置に係る実施形態と同様の各種利益を享受することができる。
【００４７】
尚、上述した本発明の情報記録装置に係る実施形態における各種態様に対応して、本発明に係る情報記録方法の実施形態も各種態様を採ることが可能である。
【００４８】
（情報再生装置の実施形態）
本発明の情報再生装置に係る実施形態は、上述した本発明の情報記録装置に係る実施形態（但し、その各種態様を含む）により前記第２記録媒体へムーブされる前記第１コンテンツ情報を再生する情報再生装置であって、当該情報再生装置による再生の対象となる前記第２記録媒体の前記識別子が、前記識別子記憶手段に記憶されている前記第１コンテンツのムーブ先である前記第２記録媒体の識別子に含まれているか否かを判定する第１判定手段と、前記第１判定手段により含まれていると判定された場合に、前記経緯情報を取得する取得手段と、前記経緯情報より特定される前記スクランブル情報及び前記スクランブルキーの夫々に基づいて、前記第１コンテンツ情報を生成するコンテンツ情報生成手段と、前記生成される前記第１コンテンツ情報を再生する再生手段とを備える。
【００４９】
本発明の情報再生装置に係る実施形態によれば、経緯情報により特定されるスクランブル情報とスクランブルキーとを用いて、第１コンテンツ情報を生成することが可能となる。
この動作に先立って、第１判定手段の動作により、再生の対象となる（即ち、当該情報再生装置にローディングされた）第２記録媒体の識別子が、識別子記憶手段に記憶されている識別子と一致する（或いは、識別子記憶手段に記憶されている識別子の集合に含まれている）か否かが判定される。即ち、正規にムーブ処理がなされた第２記録媒体がローディングされているか否かが判定される。この判定の結果、再生の対象となる第２記録媒体の識別子が識別子記憶手段に記憶されている識別子等と一致するないしは含まれている（即ち、正規にムーブ処理がなされた第２記録媒体がローディングされている）と判定された場合にのみ、第２記録媒体から経緯情報が取得される。従って、不正に経緯情報やムーブ処理されたコンテンツ（具体的には、第２コンテンツ情報）が記録された第２記録媒体からは、経緯情報を取得することができず、その結果スクランブル情報より第１コンテンツ情報を作成することもできない。そして、一致すると判定された場合には、コンテンツ情報作成手段の動作により、スクランブルキーに基づいてスクランブル情報に対してデスクランブル処理（或いは、スクランブル解除処理）を施すことで、元の第１コンテンツ情報を生成することが可能となる。従って、一度第１コンテンツ情報を、例えばより低精細度な第２コンテンツ情報に変換して他の記録媒体に記録しても、ユーザは第１コンテンツ情報を再度視聴することが可能となる。
【００５０】
以上の結果、本実施形態に係る情報再生装置によれば、コンテンツの著作権を適切に保護しつつも、ユーザは、所望の再生品質（特に、第１再生品質）に係るコンテンツ情報を好適に視聴することが可能となる。
【００５１】
尚、上述した本発明の情報記録装置に係る各種態様に対応して、本発明の情報再生装置に係る実施形態も各種態様を採ることが可能である。
【００５２】
本発明の情報再生装置に係る実施形態の一の態様は、前記第２記録媒体には前記経緯情報が記録されており、前記取得手段は前記第２記録媒体より前記経緯情報を取得し、前記取得された経緯情報を参照することで、当該情報再生装置において前記第１コンテンツ情報を再生することが可能か否かを判定する第２判定手段を更に備え、前記情報生成手段は、前記第２判定手段により可能であると判定された場合に前記第１コンテンツ情報を生成する。
【００５３】
この態様によれば、経緯情報を参照することで、不正にコピーされたスクランブル情報のデスクランブル処理が行われる不都合をより効果的に防ぐことができる。即ち、識別子を用いて第２記録媒体の正当性（例えば、正規にムーブ処理されているという正当性）を確認するのみならず、経緯情報を用いて更に第２記録媒体や情報再生装置等の正当性をも確認している。従って、コンテンツの著作権をより好適に保護しつつも、第１コンテンツ情報等の再生を好適に行うことができる。
【００５４】
本発明の情報再生装置に係る実施形態の他の態様は、前記第１コンテンツ情報及び前記スクランブル情報の夫々のデータ構造の相違に基づいて前記スクランブル情報を抽出する抽出手段と、前記抽出されたスクランブル情報の一覧を表示する表示手段を更に備える。
【００５５】
この態様によれば、第１コンテンツ情報とスクランブル情報とのデータ構造における相違に基づくことで、例えば第１記録媒体に混在して記録され得る第１コンテンツ情報及びスクランブル情報より、スクランブル情報を選択的に抽出（リストアップ）することができる。そして、例えば第１記録媒体等に記録されていくスクランブル情報の一覧を表示し、例えば所定のスクランブル情報等を消去する旨の指示をユーザより入力させるように構成することもできる。
【００５６】
本発明の情報再生装置に係る実施形態の他の態様は、前記第２コンテンツ情報を再生する第２再生手段を更に備える。
【００５７】
この態様によれば、ユーザは、第２コンテンツ情報をも適切に視聴することが可能となる。
【００５８】
（情報再生方法の実施形態）
本発明の情報再生方法に係る実施形態は、上述した本発明の情報記録装置に係る実施形態（但し、その各種態様を含む）により前記第２記録媒体へムーブされる前記第１コンテンツ情報を再生する情報再生方法であって、当該情報再生装置による再生の対象となる前記第２記録媒体の前記識別子が、前記識別子記憶手段に記憶されている前記第１コンテンツのムーブ先である前記第２記録媒体の識別子に含まれている否かを判定する第１判定工程と、前記第１判定手段により含まれていると判定された場合に、前記経緯情報を取得する取得工程と、前記経緯情報より特定される前記スクランブル情報及び前記スクランブルキーの夫々に基づいて、前記第１コンテンツ情報を生成するコンテンツ情報生成工程と、前記生成される前記第１コンテンツ情報を再生する再生工程とを備える。
【００５９】
本発明の情報再生方法に係る実施形態によれば、上述した本発明の情報再生装置に係る実施形態と同様の各種利益を享受することができる。
【００６０】
尚、上述した本発明の情報再生装置に係る実施形態における各種態様に対応して、本発明に係る情報再生方法の実施形態も各種態様を採ることが可能である。
【００６１】
（情報記録再生装置の実施形態）
本発明の情報記録再生装置の実施形態は、第１記録媒体に記録された第１再生品質の第１コンテンツ情報を第２記録媒体へムーブ処理する情報記録再生装置であって、所定のスクランブルキーに基づいて前記第１コンテンツ情報をスクランブル処理することで、スクランブル情報を生成するスクランブル手段と、前記第１コンテンツのムーブ先である前記第２記録媒体を識別するための識別子を記憶する識別子記憶手段と、前記ムーブ処理及び前記スクランブル処理の夫々の経緯を示す経緯情報を生成する経緯情報生成手段と、当該情報記録再生装置による再生の対象となる前記第２記録媒体の前記識別子が、前記識別子記憶手段に記憶されている前記第１コンテンツのムーブ先である前記第２記録媒体の識別子に含まれているか否かを判定する第１判定手段と、前記第１判定手段により含まれていると判定された場合に、前記経緯情報を取得する取得手段と、前記経緯情報より特定される前記スクランブル情報及び前記スクランブルキーの夫々に基づいて、前記第１コンテンツ情報を生成するコンテンツ情報生成手段と、前記生成される前記第１コンテンツ情報を再生する再生手段とを備える。
【００６２】
本発明の情報記録再生装置に係る実施形態によれば、上述した本発明の情報記録装置及び情報再生装置の夫々に係る実施形態が有する各種利益を享受することができる。
【００６３】
尚、上述した本発明の情報記録装置又は情報再生装置に係る実施形態における各種態様に対応して、本発明に係る情報記録再生装置の実施形態も各種態様を採ることが可能である。
【００６４】
本発明の情報記録再生装置に係る一の態様は、前記第２記録媒体には、前記ムーブ処理を行った情報記録再生装置を特定可能な情報を含んだ前記経緯情報が記録されており、前記取得手段は前記第２記録媒体より前記経緯情報を取得し、前記取得された経緯情報により特定される情報記録再生装置が、当該情報記録再生装置と一致するか否かを判定する第２判定手段を更に備え、前記コンテンツ情報生成手段は、前記第２判定手段により一致していると判定された場合に前記第１コンテンツ情報を生成する。
【００６５】
この態様によれば、経緯情報に含まれているムーブ処理を行った情報記録再生装置を特定可能な情報を参照することで、不正にコピーされたスクランブル情報のデスクランブル処理が行われる不都合をより効果的に防ぐことができる。即ち、識別子を用いて第２記録媒体の正当性（例えば、正規にムーブ処理されているという正当性）を確認するのみならず、経緯情報を用いて情報記録再生装置の正当性（例えば、正規に第２記録媒体へムーブ処理を行ったという正当性）をも確認している。従って、コンテンツの著作権を好適に保護しつつも、第１コンテンツ情報等の再生を好適に行うことができる。
【００６６】
本発明の情報記録再生装置に係る実施形態の他の態様は、前記第１コンテンツ情報及び前記スクランブル情報の夫々のデータ構造の相違に基づいて前記スクランブル情報を抽出する抽出手段と、前記抽出されたスクランブル情報の一覧を表示する表示手段を更に備える。
【００６７】
この態様によれば、第１コンテンツ情報とスクランブル情報とのデータ構造における相違に基づくことで、例えば第１記録媒体に混在して記録され得る第１コンテンツ情報及びスクランブル情報より、スクランブル情報を選択的に抽出（リストアップ）することができる。そして、例えば第１記録媒体等に記録されていくスクランブル情報の一覧を表示し、例えば所定のスクランブル情報等を消去する旨の指示をユーザより入力させるように構成することもできる。
【００６８】
（情報記録再生方法の実施形態）
本発明の情報記録再生方法に係る実施形態は、第１記録媒体に記録された第１再生品質の第１コンテンツ情報を第２記録媒体へムーブ処理する情報記録再生方法であって、所定のスクランブルキーに基づいて前記第１コンテンツ情報をスクランブル処理することで、スクランブル情報を生成するスクランブル工程と、前記第１コンテンツのムーブ先である前記第２記録媒体を識別するための識別子を記憶する識別子記憶工程と、前記ムーブ処理及び前記スクランブル処理の夫々の経緯を示す経緯情報を生成する経緯情報生成工程と、当該情報記録再生装置による再生の対象となる前記第２記録媒体の前記識別子が、前記識別子記憶手段に記憶されている前記第１コンテンツのムーブ先である前記第２記録媒体の識別子に含まれているか否かを判定する第１判定工程と、前記第１判定手段により含まれていると判定された場合に、前記経緯情報を取得する取得工程と、前記経緯情報より特定される前記スクランブル情報及び前記スクランブルキーの夫々に基づいて、前記第１コンテンツ情報を生成するコンテンツ情報生成工程と、前記生成される前記第１コンテンツ情報を再生する再生工程とを備える。
【００６９】
本発明の情報記録再生方法に係る実施形態によれば、上述した本発明の情報記録装置及び情報再生装置の夫々に係る実施形態が有する各種利益を享受することができる。
【００７０】
尚、上述した本発明の情報記録装置又は情報再生装置に係る実施形態における各種態様に対応して、本発明に係る情報記録再生方法の実施形態も各種態様を採ることが可能である。
【００７１】
（コンピュータプログラムの実施形態）
本発明に係るコンピュータプログラムの第１実施形態は、コンピュータを上述した情報記録装置の実施形態（但し、その各種形態も含む）の少なくとも一部として機能させる。本発明に係るコンピュータプログラムの第２実施形態は、コンピュータを上述した情報再生装置の実施形態（但し、その各種形態も含む）の少なくとも一部として機能させる。本発明に係るコンピュータプログラムの第２実施形態は、コンピュータを上述した情報記録再生装置の実施形態（但し、その各種形態も含む）の少なくとも一部として機能させる。
【００７２】
本発明に係るコンピュータプログラムの各実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置、情報再生装置又は情報記録再生装置に係る実施形態を比較的簡単に実現できる。
【００７３】
尚、上述した本発明の情報記録装置、情報再生装置又は情報記録再生装置に係る実施形態における各種態様に対応して、本発明のコンピュータプログラムに係る各実施形態も各種態様を採ることが可能である。
【００７４】
本発明のこのような作用及び他の利得は次に説明する実施の形態から明らかにされる。
【００７５】
以上説明したように、本発明の情報記録装置又は方法に係る実施形態によれば、スクランブル手段、識別子記憶手段及び経緯情報作成手段、又はスクランブル工程、識別子記憶工程及び経緯情報作成工程を備える。また、本発明の情報再生装置又は方法に係る実施形態によれば、第１判定手段、コンテンツ情報生成手段及び再生手段、又は第１判定工程、コンテンツ情報生成工程及び再生工程を備える。従って、コンテンツの著作権を保護しつつも、ユーザはコンテンツ情報を好適に視聴することができる。
【実施例】
【００７６】
以下、図面を参照しながら、本発明の実施例について説明を進める。
【００７７】
（基本構成）
先ず、図１を参照して、本発明の情報記録再生装置（情報記録装置或いは情報再生装置）に係る実施例の基本構成について説明を進める。ここに、図１は、本実施例に係る情報記録再生装置の基本構成を概念的に示すブロック図である。
【００７８】
図１に示すように、情報記録再生装置１は、ハードディスク１０及び光ディスク２０の夫々にデータを記録可能に構成されており、ハードディスクドライブ１１、光ディスクドライブ２１、ＮＩＭ（Network Interface Module）３１、ＭＰＥＧ  Ｄｅｍｕｘ３２、ビデオオーディオデコーダ３３、ダウンコンバータ／ＴＳ−ＰＳ（Transport Stream-Program Stream）変換器３４、スクランブル／デスクランブル回路３５、ＩＤＥ（Integrated Drive Electronics）コントローラ３６、ＡＴＡＰＩ（AT Attachment Packet Interface）コントローラ３７、ＳＷ１、ＳＷ２、ＳＷ３、ＣＰＵ５０、ＲＡＭ５１、ＲＯＭ５２を備えている。
【００７９】
ハードディスク１０は、本発明における「第１記録媒体」」の一具体例であって、各種データを記録可能な磁気記録媒体であって、特に、光ディスク２０の記録容量と比較して、より大きな記録容量を有している。
【００８０】
ハードディスクドライブ１１は、本発明における「第２記録手段」又は「消去手段」の一具体例であって、ハードディスク１０へ各種データを記録又は消去可能に構成されている。
【００８１】
光ディスク２０は、本発明における「第２記録媒体」の一具体例であって、例えばＤＶＤ等の如く直径１２ｃｍの円盤状の形状を有している情報記録媒体である。
【００８２】
特に、本実施例に係る情報記録再生装置１に用いられる光ディスク２０は、ＣＰＲＭに対応した書換可能な光ディスク（例えば、ＤＶＤ−ＲＷ等）である。
【００８３】
光ディスクドライブ２１は、本発明における「第１記録手段」の一具体例であって、光ディスク２０へ各種データを記録又は消去可能に構成されている。
【００８４】
ＮＩＭ（Network Interface Module）３１は、例えば放送されるテレビ番組や映画番組等のＭＰＥＧ−ＴＳ（トランスポートストリーム）を受信するための周波数同調を行う。また、受信すべきＭＰＥＧ−ＴＳを選択（或いは、選局）可能に構成されている。そして、受信したＭＰＥＧ−ＴＳを、ＭＰＥＧ  Ｄｅｍｕｘ３２へ出力可能に構成されている。
【００８５】
ＭＰＥＧ  Ｄｅｍｕｘ３２は、ＭＰＥＧ−ＴＳ（トランスポートストリーム）やＭＰＥＧ−ＰＳ（プログラムストリーム）から、出力すべきビデオパケットやオーディオパケット（更には、サブピクチャパケット等）を抽出し、ビデオオーディオデコーダ３３へ出力可能に構成されている。
【００８６】
ビデオオーディオデコーダ３３は、ＭＰＥＧ  Ｄｅｍｕｘ３２より出力されるビデオパケットやオーディオパケット等をデコーディング可能に構成されている。そして、デコーディングされたデータは出力端子へ出力され、該出力端子に接続されたディスプレイに映像が表示され、スピーカーに音声が出力される。
【００８７】
ダウンコンバータ／ＴＳ−ＰＳ（Transport Stream-Program Stream）変換器３４は、本発明における「ダウンコンバート手段」の一具体例であって、ＨＤサイズ（１９２０画素×１０８０画素）の映像に係るデータをＳＤサイズ（７２０画素×４８０画素）の映像に係るデータに、或いはＳＤサイズの映像に係るデータをＨＤサイズの映像に係るデータに変換可能に構成されている。また、この画素サイズの変換処理に加えて、入力されるデータのＴＳ−ＰＳフォーマット変換を行う。
【００８８】
尚、本実施例では、単に画素数の面から映像を区別する際には、ＨＤサイズの映像又はＳＤサイズの映像と称して区別する。そして、ＨＤサイズの映像に相当する画素数を有しており、且つ実際にＨＤ画質を実現する映像を特にＨＤコンテンツと称して特に区別する。また、ＳＤサイズの映像に相当する画素数を有する映像は、ＨＤ画質を実現し得るはずもなく、ＳＤサイズの映像を場合によってはＳＤコンテンツと称する。
【００８９】
スクランブル／デスクランブル回路３５は、所定のスクランブルキーに基づいて、ハードディスク１０より読み取られるＨＤストリームに対してスクランブル処理を施す。その結果、スクランブルデータを生成可能に構成されている。生成されたスクランブルデータは、ハードディスク１０へ記録される。また、所定のスクランブルキーに基づいて、ハードディスク１０より読み取られるスクランブルデータに対してデスクランブル処理を施す。即ち、上述するスクランブル処理とは逆のデータ処理をスクランブルデータに対して施す。その結果、ＨＤコンテンツを生成可能に構成されている。そして、スクランブル処理を行う回路部分が、本発明における「スクランブル手段」の一具体例に相当し、デスクランブル処理を行う回路部分が、本発明における「情報生成手段」の一具体例に相当する。尚、スクランブル／デスクランブル回路３５は、スクランブル回路とデスクランブル回路との２つに分離された構成でもよい。
【００９０】
ＩＤＥ（Integrated Drive Electronics）コントローラ３６は、ハードディスクドライブ１１を制御可能に構成されており、特に、ハードディスク１０への各種データの記録或いは再生を制御可能に構成されている。また、ハードディスク１０へデータを記録する際の暗号化（即ち、Local Encryption）に必要な暗号化キーを生成可能に構成されていてもよい。
【００９１】
ＡＴＡＰＩ（AT Attachment Packet Interface）コントローラ３７は、光ディスクドライブ２１を制御可能に構成されており、特に、光ディスク２１への各種データの記録或いは再生を制御可能に構成されている。また、ＡＴＡＰＩコントローラ３７は、各種データの記録や再生の際には、例えばＣＰＲＭ等の規格に対応して、これら各種データの暗号化及び復号化を行う。
【００９２】
ＳＷ１は、ＭＰＥＧ  Ｄｅｍｕｘ３２から出力されるデータ（例えば、ＨＤコンテンツ等）とスクランブル／デスクランブル回路３５から出力されるデータ（例えば、スクランブルデータ等）とのいずれのデータがハードディスク１０に記録されるかに応じて、ＩＤＥコントローラ３６への入力を切替可能に構成されている。
【００９３】
ＳＷ２は、ＩＤＥコントローラ３６（即ち、ハードディスク１０）から出力されるデータがＭＰＥＧ  Ｄｅｍｕｘ３２若しくはダウンコンバータ／ＴＳ−ＰＳ変換器３４へ入力されるか、又はスクランブル／デスクランブル回路３５から出力されるデータがＭＰＥＧ  Ｄｅｍｕｘ３２若しくはダウンコンバータ／ＴＳ−ＰＳ変換機３４へ入力されるかを適宜切替可能に構成されている。
【００９４】
ＳＷ３は、ＭＰＥＧ  Ｄｅｍｕｘ３２から出力されるデータ（例えば、ＳＤコンテンツ等）とダウンコンバータ／ＴＳ−ＰＳ変換器３４から出力されるデータ（例えば、ＳＤコンテンツ等）とのいずれのデータが光ディスク２０に記録されるかに応じて、ＡＴＡＰＩコントローラ３７への入力を切替可能に構成されている。
【００９５】
ＣＰＵ５０は、当該情報記録再生装置１全体（即ち、図１中実線にて囲まれる各種構成要件）の動作を制御可能に構成されている。即ち、情報記録再生装置１が備える各構成要素に対してシステムコマンドを出力することで、情報記録再生装置１全体の制御を行う。
【００９６】
ＲＡＭ５１は、情報記録再生装置１の動作に必要な各種データを一時的に記録可能に構成されている。
【００９７】
ＲＯＭ５２は、例えばＣＰＵ５０が動作するためのソフトウェアを記録可能に構成されている。
【００９８】
尚、以上の情報記録再生装置１の各種構成要素のうち、主として図１中ハードディスクドライブ１１、光ディスクドライブ２１、ダウンコンバータ／ＴＳ−ＰＳ変換器３４、スクランブル／デスクランブル回路３５、ＩＤＥコントローラ３６、ＡＴＡＰＩコントローラ３７等が本発明における情報記録装置の一具体例を構成する。また、主として図１中ハードディスクドライブ１１、光ディスクドライブ２１、ＭＰＥＧ  Ｄｅｍｕｘ３２、ビデオオーディオデコーダ３３、スクランブル／デスクランブル回路３５、ＩＤＥコントローラ３６、ＡＴＡＰＩコントローラ３７等が、本発明における情報再生装置の一具体例を構成する。
【００９９】
更に、各種構成要素を媒介するバスに付されている矢印は、データの入出力の方向を例示的に示すものであり、データの入出力の方向がこの矢印の方向に限定されないことは言うまでもない。
【０１００】
（動作原理）
続いて、図２から図８を参照して、本実施例に係る情報記録再生装置の動作原理について説明を進める。
【０１０１】
（１）ＭＯＶＥ動作
先ず、図２を参照して、本実施例に係る情報記録再生装置のＭＯＶＥ動作について説明する。ここに、図２は、ＭＯＶＥ動作に係る流れを概念的に示すフローチャートである。
【０１０２】
尚、ＭＯＶＥ動作の前提として、ハードディスク１０にＨＤコンテンツが記録される場合の動作について簡単に説明する。先ず、地上波や衛星電波を用いて放送されたり通信ネットワークを介して配信されるＭＰＥＧトランスポートストリーム等は、ＮＩＭ３１において受信される。受信されたＭＰＥＧトランスポートストリーム等から、ＭＰＥＧ  Ｄｅｍｕｘ３２において、所望の番組（プログラム）を構成するビデオパケットやオーディオパケットが抽出され、ＩＤＥコントローラ３６へ出力される。このとき、ＣＰＵ５０の制御の下に、ＳＷ１がＭＰＥＧ  Ｄｅｍｕｘ３２側に切り替えられ、ＭＰＥＧ  Ｄｅｍｕｘ３２とＩＤＥコントローラ３６とが接続される。そして、ＩＤＥコントローラ３６の動作により、所望の番組を構成するビデオパケットやオーディオパケットがハードディスク１０に記録される。このとき、ＨＤコンテンツは、ＩＤＥコントローラ３６の制御の下に、ローカルエンクリプション（暗号化）が施されて記録される。
【０１０３】
続いて、ＭＯＶＥ動作について説明する。尚、このときハードディスク１０には、ＮＩＭ３１において受信されたＨＤコンテンツが記録されているものとして、以下の説明を進める。
【０１０４】
図２に示すように、ＣＰＵ５０よりＩＤＥコントローラ３６に対して、ＨＤコンテンツを読み出す旨の指示を示すシステムコマンドが出力される（ステップＳ１０１）。これにより、ハードディスク１０に記録されているＨＤコンテンツが読み取られる。このとき、ＨＤコンテンツは暗号化されたハードディスク１０に記録されているため、ＨＤコンテンツの読み出しに伴って復号化（非暗号化）処理が行われる。
【０１０５】
続いて、ＣＰＵ５０の制御の下に、ＳＷ１がスクランブル／デスクランブル回路３５側へ切り替えられる。これにより、ＩＤＥコントローラ３６とスクランブル／デスクランブル回路３５とが接続される（ステップＳ１０２）。そして、ハードディスク１０より読み出されたＨＤコンテンツは、ＩＤＥコントローラ３６からスクランブル／デスクランブル回路３５へ出力される。
【０１０６】
続いて、本発明における「キー生成手段」の一具体例たるＣＰＵ５０の動作により、ＨＤコンテンツをスクランブル処理するためのスクランブルキーが生成される（ステップＳ１０３）。
【０１０７】
ここで、スクランブルキーについて具体的に説明する。スクランブルキーは、ＨＤコンテンツのスクランブル処理のために用いられ、ＣＰＵ５０が任意に設定することができる。但し、スクランブル処理により作成されるスクランブルデータのデスクランブル処理が、第三者により容易に行われないように、スクランブルキーは高い秘匿性・解読不能性を有していることが好ましい。
【０１０８】
このため、例えばスクランブルキーは、光ディスク２０に記録されるＳＤコンテンツに基づいて生成されてもよい。例えば、スクランブル／デスクランブル回路３５に入力されるＨＤコンテンツの再生時刻に対応する（即ち、同一再生時刻の）ＳＤコンテンツのデータ（例えば、１フレーム毎のデータ）をスクランブルキーとしてもよい。或いは、ＳＤコンテンツの少なくとも一部をスクランブルキーとしてもよい。そして、ＨＤコンテンツのデータサイズと比較して小さいデータサイズを有するスクランブルキーを繰り返し使用してスクランブル処理を行うように構成してもよい。このとき、ＳＤコンテンツ（或いは、その一部）をスクランブルキーとして使用するため、後述のデスクランブル処理の際には、実際にＳＤコンテンツが記録された光ディスク２０が必要とされる。従って、本実施例の如く、ＣＰＲＭにより当該光ディスク２０（特に、当該光ディスク２０に記録されるコンテンツ）の著作権が保護されていれば（例えば、容易に読み出すことができなければ）、スクランブルキーの複製（特に、不正な複製）をより効果的に防止することができる。
【０１０９】
また、ＣＰＲＭに基づく暗号化のために用いられる暗号化キーをスクランブルキーとして用いてもよい。或いは、当該暗号化キーに基づいてスクランブルキーを生成してもよい。また、この暗号化キーを生成するために必要な各種情報に基づいてスクランブルキーを生成してもよい。これにより、スクランブルキーの複製（特に、不正な複製）をより効果的に防止することが可能となる。
【０１１０】
或いは、ＳＤコンテンツが記録される光ディスク２０に固有の情報（例えば、ディスクキーやメディアＩＤや或いはその他の各種識別番号等）に基づいてスクランブルキーを生成してもよい。これにより、スクランブルキーを生成するためには、ＳＤコンテンツが実際に記録されている光ディスク２０が必要となるため、スクランブルキーの複製（特に、不正な複製）をより効果的に防止することが可能となる。
【０１１１】
言い換えれば、スクランブルキーを容易に複製する（即ち、スクランブルデータを容易に復元（デスクランブル処理）する）ことができないように、ＳＤストリーム或いは該ＳＤストリームが記録される光ディスク２０に固有のスクランブルキーを生成することが好ましい。これにより、仮にスクランブルデータを不正に入手した者がいたとしても、スクランブルキーを容易に複製できないため、結局ＨＤストリームとして復元することができない。このため、コンテンツの著作権を好適に保護することが可能となる。
【０１１２】
尚、参考までに、例えばネットワーク上におけるデータ送受信の際のデータの暗号化に用いられるＳＳＬ（Secure Socket Layer）では、１２８ビットのサイズのキーを用いて暗号化処理を行っているが、本実施例ではコンテンツの著作権をより好適に保護するべく、１２８ビットよりも多いビット数を有するスクランブルキーにてスクランブル処理を行うことが好ましい。例えば、上述したように、１フレームのデータ量に相当するサイズのスクランブルキーにてスクランブル処理を行ってもよい。
【０１１３】
続いて、ＣＰＵ５０よりスクランブル／デスクランブル回路３５に対して、ＨＤコンテンツをスクランブル処理する旨の指示を示すシステムコマンドが出力される（ステップＳ１０４）。これにより、ハードディスク１０に記録されているＨＤコンテンツがステップＳ１０３において生成されたスクランブルキーに基づいてスクランブル処理されることで、スクランブルデータが生成される。このスクランブルデータはハードディスク１０へ適宜記録される。このとき、スクランブルデータに対してローカルエンクリプションを施した上でハードディスク１０に記録するように構成してもよい。
【０１１４】
尚、スクランブル／デスクランブル回路３５においては、例えばスクランブルキーとＨＤコンテンツに係るデータとの排他的論理和（ＸＯＲ演算）等の論理演算を行うことでスクランブルデータを生成するように構成してもよい。即ち、スクランブルキーを変換係数とし、変換形式としてＸＯＲ演算を適用してもよい。或いは、スクランブルキーに基づいて、ＨＤコンテンツに係るデータに所定の演算（例えば、シフト演算等）を施すことでスクランブルデータを生成するように構成してもよいし、その他の演算を施すことでスクランブルデータを生成するように構成してもよい。要は、それ単体では所定の映像や音声等を何ら意味しておらず、後述するように、スクランブルキーと合わせてデータ処理（具体的には、デスクランブル処理）することで初めて意味のある映像や音声等を構成するようなスクランブルデータが生成されればよい。即ち、本実施例における「スクランブル処理」とは、所定の映像等を示すデータを、当該所定の映像等を単体では示し得ないデータへと変換する処理を示している。
【０１１５】
続いて、ＣＰＵ５０の制御の下にＳＷ２が切り替えられ、ＩＤＥコントローラ３６とダウンコンバータ／ＴＳ−ＰＳ変換器３４とが接続される（ステップＳ１０５）。そして、ハードディスク１０より読み出されたＨＤコンテンツは、ＩＤＥコントローラ３６からダウンコンバータ／ＴＳ−ＰＳ変換器３４へ出力される。
【０１１６】
続いて、ＣＰＵ５０よりダウンコンバータ／ＴＳ−ＰＳ変換器３４に対して、ＨＤコンテンツをダウンコンバート及びＴＳ−ＰＳ変換する旨の指示を示すシステムコマンドが出力される（ステップＳ１０６）。従って、ハードディスク１０から出力されるＨＤコンテンツがＳＤコンテンツにダウンコンバートされ、またトランスポートストリーム形式のＨＤコンテンツがプログラムストリーム形式のＳＤコンテンツに変換される。但し、本実施例においては、以下に説明する光ディスク２０の識別子の記憶及び光ディスク２０上においてＳＤコンテンツを記録するべき記録位置を特定した後に、実際にダウンコンバート及びＴＳ−ＰＳ変換が開始される。
【０１１７】
続いて、ＣＰＵ５０よりＡＴＡＰＩコントローラ３７に対して、ダウンコンバート／ＴＳ−ＰＳ変換器３４から出力されるＳＤコンテンツを光ディスク２０へ記録する旨の指示を示すシステムコマンドが出力される（ステップＳ１０７）。これにより、ＡＴＡＰＩコントローラ３７は、ＳＤコンテンツを光ディスク２０へ記録する。このとき、ＳＤコンテンツは、ＣＰＲＭに基づき暗号化された上で光ディスク２０に記録される。但し、本実施例においては、以下に説明する光ディスク２０の識別子の記憶及び光ディスク２０上においてＳＤコンテンツを記録するべき記録位置を特定した後に、実際にＳＤコンテンツの記録が開始される。
【０１１８】
このＳＤコンテンツの記録に先立って、ＣＰＵ５０の制御の下に、ＳＤコンテンツを記録しようとしている光ディスク２０の識別子が読み出される。この読み出された識別子は、例えば本発明の「識別子記憶手段」の一具体例でもあるハードディスク１０に記録される。但し、例えばＲＡＭ５１等の他の記録媒体に記憶するように構成してもよい。
【０１１９】
この識別子は、例えば光ディスク２０の一具体例たるＤＶＤであれば、ＮＢＣＡ（Narrow Burst Cutting Area）にバーコード状に記録されているメディアＩＤであってもよいし、或いはその他のディスクＩＤであってもよい。或いは、これらのＩＤを組み合わせて一の識別子としてもよい。即ち、膨大な枚数の光ディスク２０の中から、ＳＤコンテンツを記録した光ディスク２０を一意に特定することができる情報であれば、本実施例における識別子として用いることができる。
【０１２０】
ここで光ディスク２０の識別子の記憶に関して、図３を参照してより詳細に説明する。ここに、図３は、ハードディスク１０等に記録される識別子を概念的に示すデータ構造図である。
【０１２１】
図３に示すように、ＳＤコンテンツを記録しようとしている光ディスク２０の識別子は、識別子情報としてハードディスク１０上に記憶される。ここでは、当該情報記録再生装置１によりコンテンツの記録が行われた光ディスク２０の識別子がリスト形式で識別子情報として記憶されていることが好ましい。例えば図３に示す識別子情報であれば、情報記録再生装置１は、識別子＃１により特定される光ディスク２０に一のＨＤコンテンツを記録し、識別子＃２により特定される光ディスク２０に他のＨＤコンテンツを記録し、識別子＃ｎにより特定される光ディスク２０に更に別のＨＤコンテンツを記録している。
【０１２２】
再び図２において、ＣＰＵ５０の制御の下に、光ディスク２０上においてＳＤコンテンツが記録される記録位置が特定される（ステップＳ１０９）。この記録位置は、例えば光ディスク２０の一具体例たるＤＶＤであれば、ＶＯＢ番号であってもよいし、ＳＤコンテンツが記録されるアドレス位置（例えば、物理的なアドレス位置や論理的なアドレス位置）であってもよい。或いは、ＳＤコンテンツが実際に記録される記録位置を特定することができれば、その他の各種情報であってもよい。
【０１２３】
続いて、ＣＰＵ５０の制御の下に、実際にＨＤコンテンツのダウンコンバート及びＴＳ−ＰＳ変換が行われながら、ダウンコンバータ／ＴＳ−ＰＳ変換器３４より出力されるＳＤコンテンツが光ディスク２０へ記録される（ステップＳ１１０）。より具体的には、ＳＤコンテンツに対してＣＰＲＭ処理が施される。具体的には、情報記録再生装置１が有するデバイスキーや光ディスク２０に予め記録されているメディアキー（例えば、ＭＫＢ（Media Key Block））等に応じて暗号化キーが生成される。そして、この暗号化キーに基づいて、記録されるコンテンツ（この場合、ＳＤコンテンツ）の暗号化が行われる。そして、暗号化されたＳＤコンテンツが光ディスク２０へ記録される。このとき、ＭＯＶＥ動作の要求を満たすべく、ＳＤコンテンツの記録と同時に或いは並行して、ハードディスク１０に記録されているＨＤコンテンツの消去が行なわれる。
【０１２４】
その後、ＨＤコンテンツの最後の部分までダウンコンバート等がなされたか否か（ＨＤコンテンツの最後に到達したか否か）が判定される（ステップＳ１１１）。即ち、ＨＤコンテンツの最後の部分に対応するＳＤコンテンツの光ディスク２０への記録が行われたか否かが判定される。
【０１２５】
この判定の結果、ＨＤコンテンツの最後の部分までダウンコンバート等がなされていないと判定された場合（ステップＳ１１１：Ｎｏ）、再びステップＳ１１０へ戻り、ＨＤコンテンツのダウンコンバート等及び光ディスク２０へのＳＤコンテンツの記録（更には、ハードディスク１０に記録されているＨＤコンテンツの消去）が継続して行われる。他方、ＨＤコンテンツの最後の部分までダウンコンバート等がなされていると判定された場合（ステップＳ１１１：Ｙｅｓ）、本発明の「経緯情報生成手段」の一具体例たるＣＰＵ５０の制御の下に、経緯情報が生成される（ステップＳ１１２）。
【０１２６】
この経緯情報について図４を参照しながらより詳細に説明する。ここに、図４は、経緯情報を概念的に示すデータ構造図である。
【０１２７】
図４に示すように、経緯情報は、ＭＯＶＥ動作及びスクランブル処理の夫々に関する動作経緯を示す情報である。例えば、ＭＯＶＥ動作を行なった情報記録再生装置とＭＯＶＥ動作によりコンテンツが記録された光ディスクとの関係を一意に示す情報や、スクランブル処理に用いられたスクランブルキーや、スクランブル処理の結果生成されるスクランブルデータを示す情報等を含んでいる。より具体的には、経緯情報は、(i)ムーブ元装置ＩＤ、(ii)ムーブ元ファイル名、(iii)ムーブ先ＶＯＢ番号、及び(iv)スクランブルキーデータが含まれている。
【０１２８】
ムーブ（ＭＯＶＥ）元装置ＩＤは、ＨＤコンテンツのＭＯＶＥ動作を実際に行なった情報記録再生装置を特定するための識別番号等である。例えば、情報記録再生装置毎に割り振られる装置ＩＤ（デバイスＩＤ）であってもよいし、或いはムーブ動作を行なった情報記録再生装置を一意に特定可能であれば、その他の情報であってもよい。
【０１２９】
ムーブ（ＭＯＶＥ）元ファイル名は、ＭＯＶＥ動作の対象となったＨＤコンテンツを特定するための情報であって、例えばムーブされたＨＤコンテンツの情報記録再生装置内におけるファイル名（或いは、タイトル名やプログラム名等）である。
【０１３０】
ムーブ（ＭＯＶＥ）先ＶＯＢ番号は、ＭＯＶＥ動作の結果記録されるＳＤコンテンツの光ディスク２０内における記録位置を特定するための情報であって、例えば光ディスク２０の一具体例であるＤＶＤであれば、例えばＶＯＢ番号が示される。
【０１３１】
スクランブルキーデータは、スクランブルデータの生成時に用いられたスクランブルキーを特定するための情報である。例えば、スクランブルキーそのものを示す情報であってもよい。或いは、それのみではスクランブルキーそのものを示していないが、所定の演算を施せばスクランブルキーそのものを示す情報であってもよい。更に、スクランブルキーデータは、スクランブル処理の際に用いられた変換の形式（例えば、演算の手法や種類等であって、具体的にはＸＯＲ演算やシフト演算等）を示す情報を含んでいるように構成してもよい。
【０１３２】
尚、上述した全ての情報を含む経緯情報でなくとも、そのうち一部の情報を含む経緯情報であってもよい。また、経緯情報としてこれ以外の各種情報を含むように構成してもよい。要は、ＭＯＶＥ動作及びスクランブル処理の夫々に関する動作経緯を示す情報であって、ＭＯＶＥ動作の対象となるコンテンツの著作権を適切に保護し且つ一旦ダウンコンバートされたＨＤコンテンツの再度の再生動作を担保できるような情報であれば、本実施例における経緯情報の範囲に含まれる。
【０１３３】
再び図２において、ステップＳ１１２において生成された経緯情報が光ディスク２０へ記録される（ステップＳ１１３）。このとき、光ディスク２０上には複数種類（即ち、複数タイトル）のＳＤコンテンツが記録されていることもある。従って、記録されたＳＤコンテンツと当該ＳＤコンテンツの記録（即ち、ＭＯＶＥ動作）に関連する経緯情報とを対応付けて夫々光ディスク２０へ記録することが好ましい。例えば、経緯情報に、ムーブされたＨＤコンテンツの光ディスク２０内におけるファイル名（即ち、ＳＤコンテンツの光ディスク２０内におけるファイル名）を含ませることで、経緯情報とＳＤコンテンツとの対応付けを図ってもよい。或いは、経緯情報に含まれる「ムーブ先ＶＯＢ番号」により経緯情報とＳＤコンテンツとの対応付けを図ってもよい。
【０１３４】
このＭＯＶＥ動作が実際に行なわれるブロック図上における構成要素及びデータの流れについて、図５を参照して説明する。ここに、図５は、ＭＯＶＥ動作に関する構成要素を抜粋したブロック図であり、
図５に示すように、主としてハードディスクドライブ１１、光ディスクドライブ２１、ダウンコンバータ／ＴＳ−ＰＳ変換器３４、スクランブル／デスクランブル回路３５、ＩＤＥコントローラ３６、ＡＴＡＰＩコントローラ３７、ＳＷ１、ＳＷ２及びＳＷ３等の動作により、上述したＭＯＶＥ動作が行なわれる。そして、太線にてデータの流れが示されるように、ＨＤコンテンツは、ＩＤＥコントローラ３６を介してスクランブル／デスクランブル回路３５及びダウンコンバータ／ＴＳ−ＰＳ変換器３４へ出力される。また、点線にてデータの流れが示されるように、スクランブルデータは、スクランブル／デスクランブル回路３５からＩＤＥコントローラ３６へ出力され、ハードディスク１０へ記録される。また、２点鎖線にてデータの流れが示されるように、ＳＤコンテンツは、ダウンコンバート／ＴＳ−ＰＳ変換器３４からＡＴＡＰＩコントローラ３７へ出力され、光ディスク２０へ記録される。
【０１３５】
以上まとめると、ＳＤストリームが光ディスク２０に記録されると共に、ＨＤストリームがハードディスク１０から消去され、且つスクランブルデータがハードディスク１０に記録される。このときのハードディスク１０及び光ディスク２０の夫々に記録されているデータの態様について図６を参照しながら説明する。ここに、図６は、ＭＯＶＥ動作時のハードディスク１０及び光ディスク２０の夫々に記録されるデータを概念的に示す説明図である。
【０１３６】
図６（ａ）に示すように、ＭＯＶＥ動作前においては、ハードディスク１０にＨＤコンテンツの全体が記録されている。
【０１３７】
そして、上述したＭＯＶＥ動作が進行するにつれて、図６（ｂ）及び図６（ｃ）に示すように、ＨＤコンテンツがハードディスク１０から徐々に消去されていき、またスクランブルデータがハードディスク１０へ徐々に記録されていき、またＳＤコンテンツが光ディスク１０へ徐々に記録されていく。
【０１３８】
そして、全てのＳＤコンテンツが光ディスク２０に記録されたときには、図６（ｄ）に示すように、ハードディスク１０からＨＤコンテンツは全て消去されており、代わりにスクランブルデータが記録されている。更に、ハードディスク１０には識別子情報が記録されており、光ディスク２０には経緯情報が記録されている。
【０１３９】
尚、光ディスク２０に記録されるＳＤコンテンツに対応しているＨＤコンテンツが同時に消去されるようにＭＯＶＥ動作が行なわれることが好ましい。言い換えれば、光ディスク２０に記録されたＳＤコンテンツが示す映像に相当する映像を示す（即ち、例えば同一フレームの又は同一再生時刻の）ＨＤコンテンツが同時にハードディスク１０より消去されるようにＭＯＶＥ動作が行なわれることが好ましい。例えば、１分の（或いは、数分の、数秒の）再生時間単位毎にＳＤコンテンツが光ディスク２０に記録され、且つＨＤコンテンツがハードディスク１０より消去されることが好ましい。但し、このようにＳＤコンテンツ及びスクランブルデータの記録並びにＨＤコンテンツの消去が行なわれなくとも、例えばユーザが光ディスク２０やハードディスク１０を利用する際に、コンテンツの著作権が適切に保護されている状態にあれば、どのような順序・態様でＳＤコンテンツ及びスクランブルデータの記録並びにＨＤコンテンツの消去を行ってもよい。
【０１４０】
このように、本実施例に係る情報記録再生装置１によれば、コンテンツの著作権を適切に保護することが可能となる。特に、識別子（識別子情報）をハードディスク１０に記録し、経緯情報を光ディスク２０に記録することで、後述の再生動作において説明するようにより好適にコンテンツの著作権を保護することが可能となる。
【０１４１】
尚、上述した実施例では、スクランブルデータを生成した後にＳＤコンテンツの記録を行なっているが、ＳＤコンテンツの記録とスクランブルデータの生成とを同時に或いは並行して行ってもよい。この場合、ＨＤコンテンツの消去の際には、生成したスクランブルデータを該ＨＤコンテンツが記録されている記録領域に上書きしていくことで、ＨＤコンテンツの消去を行なうように構成してもよい。また、ＳＤコンテンツを記録した後にスクランブルデータを生成してもよい。つまり、最終的に、ハードディスク１０にスクランブルデータ及び識別子情報が記録されており且つＨＤコンテンツが消去されており、光ディスク２０にＳＤコンテンツ及び経緯情報が記録されている態様になれば、どのような順序・形式でＭＯＶＥ動作を行なってよい。但し、ＭＯＶＥ動作を規定する規格に準拠しながら該ＭＯＶＥ動作を行なうことがより好ましい。
【０１４２】
（２）ＭＯＶＥ動作後のＨＤコンテンツの再生動作
続いて、図７及び図８を参照して、ＭＯＶＥ動作後のＨＤ画質映像の再生動作について説明する。ここに、図７は、ＭＯＶＥ動作後のＨＤコンテンツの再生動作の流れを概念的に示すフローチャートであり、図８は、ＭＯＶＥ動作後のＨＤコンテンツの再生動作に関する構成要素を抜粋したブロック図である。
【０１４３】
図７に示すように、先ず再生対象となる光ディスク２０が情報記録再生装置１にローディングされ、該光ディスク２０の識別子が読み取られる（ステップＳ２０１）。続いて、ステップＳ２０１において読み取られた識別子が、ハードディスク１０内に記憶されている識別子情報に含まれているか否かが判定される（ステップＳ２０２）。即ち、当該情報記録再生装置１自身の動作により、このローディングされた光ディスク２０にＳＤコンテンツが記録されたか否かが判定される。
【０１４４】
この判定の結果、ハードディスク１０内に記憶された識別子情報に、ステップＳ２０１で読み取られた識別子が含まれていないと判定された場合（ステップＳ２０２：Ｎｏ）、ＨＤコンテンツの再生動作（より具体的には、スクランブルデータを用いたＨＤコンテンツの再生動作）を行なうことができない。即ち、例えば経緯情報やＳＤコンテンツを不正にコピーした光ディスク２０を、情報記録再生装置１にローディングしたとしても、当該光ディスク２０の識別子が情報記録再生装置１に記憶されていない。このため、当該光ディスク２０に不正にコピーされた経緯情報を用いて、当該光ディスク２０に記録されているＳＤコンテンツに対応するＨＤコンテンツの再生（即ち、スクランブルデータのスクランブル処理）を行うことはできない。
【０１４５】
但しこの場合、光ディスク２０に記録されているＳＤコンテンツ等を再生することはできる（ステップＳ２１１）。従って、光ディスク２０にＨＤコンテンツが記録されていれば、そのＨＤコンテンツを再生することはできる。尚、この光ディスク２０に記録されているＳＤコンテンツ等の再生については後に詳述する。
【０１４６】
他方、ハードディスク１０内に記憶された識別子情報に、ステップＳ２０１で読み取られた識別子が含まれていると判定された場合（ステップＳ２０２：Ｙｅｓ）、光ディスク２０に記録されている経緯情報を取得する（ステップＳ２０３）。続いて、ステップＳ２０３において取得された経緯情報内のムーブ元ファイル名が正しいか否かが判定される（ステップＳ２０４）。より具体的には、経緯情報内のムーブ元ファイル名が、情報記録再生装置１によるＭＯＶＥ動作の対象となったＨＤコンテンツのファイル名と一致するか否かが判定される。例えば、情報記録再生装置１がＭＯＶＥ動作の対象となったＨＤコンテンツのファイル名を記憶していれば、該記憶されたファイル名と経緯情報のムーブ元ファイル名とを比較することで上記判定を行ってもよい。或いは、元のＨＤコンテンツのファイル名が対応付けられたスクランブルデータが記録されていれば、該対応付けられたファイル名と経緯情報のムーブ元ファイル名とを比較することで上記判定を行ってもよい。これらのファイル名が一致すれば、ムーブ元ファイル名は正しいと判定され、他方これらのファイル名が一致しなければ、ムーブ元ファイル名は正しくないと判定される。
【０１４７】
この判定の結果、ムーブ元ファイル名が正しくないと判定された場合（ステップＳ２０４：Ｎｏ）、光ディスク２０に記録されているＳＤコンテンツに対応するＨＤコンテンツの再生動作（より具体的には、スクランブルデータを用いたＨＤコンテンツの再生動作）を行なうことができない。但しこの場合も、光ディスク２０に記録されているＳＤコンテンツ等を再生することはできる（ステップＳ２１１）。
【０１４８】
他方、ムーブ元ファイル名が正しいと判定された場合（ステップＳ２０４）、ＣＰＵ５０の制御の下に、経緯情報からスクランブルキーデータを取得し、且つスクランブルキーを特定する（ステップＳ２０５）。これにより、上述したスクランブル処理の際に用いられたスクランブルキーと同一のスクランブルキーが特定される。加えて、スクランブル処理の際に用いられた変換の形式が特定されるように構成してもよい。そして、この特愛知されたスクランブルキー等は、スクランブル／デスクランブル回路３５へ出力される。
【０１４９】
尚、ステップＳ２０４におけるムーブ元ファイル名の判定と同時に或いは並行して、ステップＳ２０３において取得された経緯情報内のムーブ元装置ＩＤが、この情報記録再生装置１の装置ＩＤと一致するか否かが判定されることが好ましい。この判定の結果、一致しなければ、ローディングされた光ディスク２０に記録されているＳＤコンテンツに対応するＨＤコンテンツの再生動作を行なわないように構成することが好ましい。このため、ローディングされた光ディスク２０に対して実際にＭＯＶＥ動作を行なった情報記録再生装置１でなければ、光ディスク２０に記録されているＳＤコンテンツに対応するＨＤコンテンツの再生（即ち、スクランブルデータのデスクランブル処理）を行うことはできない。従って、ＭＯＶＥ動作を行なっていない他の情報記録再生装置では、ＨＤコンテンツの再生を行うことはできず、実質的にコンテンツの著作権の保護が図られている。
【０１５０】
また、ステップＳ２０４における判定と同時に或いは並行して、ステップＳ２０３において取得された経緯情報のムーブ先ＶＯＢ番号と、実際に光ディスク１０に記録されているＳＤコンテンツ等のＶＯＢ番号と一致するか否かが判定されることが好ましい。この判定の結果、一致しなければ、ローディングされた光ディスク２０に記録されているＳＤコンテンツに対応するＨＤコンテンツの再生動作を行なわないように構成することが好ましい。このため、不正にＳＤコンテンツや経緯情報をコピーすることで、当該ＳＤコンテンツが記録されているＶＯＢ番号が変わってしまえば、該ＳＤコンテンツに対応するＨＤコンテンツの再生（即ち、スクランブルデータのデスクランブル処理）を行うことはできない。従って、実際に、ＭＯＶＥ動作の対象となった光ディスクをローディングしなければＨＤコンテンツの再生を行うことはできず、実質的にコンテンツの著作権の保護が図られている。
【０１５１】
続いて、ＣＰＵ５０よりスクランブル／デスクランブル回路３５に対して、スクランブルデータをデスクランブル処理する旨の指示を示すシステムコマンドが出力される（ステップＳ２０６）。これにより、ハードディスク１０に記録されているＨＤコンテンツがステップＳ２０５において特定されたスクランブルキーに基づいてデスクランブル処理が施されることで、ＨＤコンテンツが生成される。但し、本実施例においては、以下に説明するＳＷ２の切替動作の後に、実際にデスクランブル処理が行われる。
【０１５２】
図２に示すように、ＣＰＵ５０よりＩＤＥコントローラ３６に対して、スクランブルデータを読み出す旨の指示を示すシステムコマンドが出力される（ステップＳ２０７）。これにより、ハードディスク１０に記録されているスクランブルデータが読み取られ、スクランブル／デスクランブル回路３５へ出力される。このときスクランブルデータが暗号化して記録されていれば、復号化を行ってスクランブルデータを読み取る。但し、本実施例においては、以下に説明するＳＷ２の切替動作の後に、実際にデスクランブル処理が行われる。
【０１５３】
続いて、ＣＰＵ５０の制御の下にＳＷ２が切り替えられ、ＭＰＥＧ  Ｄｅｍｕｘ３２とスクランブル／デスクランブル回路３５とが接続される（ステップＳ２０８）。そして、スクランブル／デスクランブル回路３５によるデスクランブル処理の結果生成されるＨＤコンテンツが、ＭＰＥＧ  Ｄｅｍｕｘ３２へ出力される。
【０１５４】
そして、実際にスクランブルデータがハードディスク１０から読み出され、且つ該読み出されたスクランブルデータに対してデスクランブル処理が施されることで、ＨＤコンテンツの再生が行われる（ステップＳ２０９）。従って、ユーザはＨＤコンテンツを視聴することができる。
【０１５５】
仮に、従来のハードディスクレコーダ等の如くスクランブルデータを生成しない情報記録再生装置であれば、ハードディスク１０に記録されていたＨＤコンテンツを、ＳＤコンテンツに変換（即ち、ダウンコンバート等）してＭＯＶＥ動作を行なった後には、当該ＳＤコンテンツを再度ＨＤコンテンツとして再生することは困難或いは不可能である。また、ＳＤコンテンツをアップコンバートしても、画素数の面ではＨＤサイズの映像として再生することはできても、画質の面では本来のＨＤコンテンツとして再生することは困難或いは不可能である。
【０１５６】
しかるに、本実施例に係る情報記録再生装置１によれば、ハードディスク１０に記録されていたＨＤコンテンツを、ＳＤコンテンツに変換して光ディスク２０に記録した後であっても、上述の如くスクランブルデータを用いて再生動作を行なえば、再度ＨＤコンテンツを再生することが可能となる。そして、ＨＤコンテンツをＳＤコンテンツに変換して光ディスク２０に記録しても、ハードディスク１０には本来のＨＤコンテンツ或いはＳＤコンテンツとは全く異なるデータであるスクランブルデータしか記録されておらず、コンテンツの著作権は適切に保護されている。
【０１５７】
従って、ユーザは、例えば自宅等においては、ハードディスクレコーダ等の高度な情報記録再生装置に記録されたＨＤコンテンツを再生することで、プラズマテレビ或いはプロジェクター等の大画面にて高画質な映像を視聴することができる。その一方で、ＨＤコンテンツを変換して、例えばＤＶＤ等の光ディスク２０にＳＤコンテンツとして記録することで、例えば自動車に搭載されているＤＶＤプレーヤ（或いは、カーナビゲーションに搭載されているＤＶＤプレーヤ）等を用いて同様のコンテンツを自動車の中においても楽しむことができる。即ち、自宅のように高度なＡＶ視聴環境を実現できる場所であっても、自動車内のように簡易なＡＶ視聴環境を実現できる場所であっても、ユーザは所望のコンテンツを所望の再生品質にて選択的に視聴するという大きな利点を享受することができる。
【０１５８】
加えて、本実施形態では特に、経緯情報と識別子とを参照することで、正規にスクランブル処理がなされたり或いは正規にムーブされた場合でなければ、ＨＤコンテンツを好適に再生することができない。このため、不正に複製されたＨＤコンテンツ等の不正な再生を好適に防ぐことができる。この結果、コンテンツの著作権をより好適に保護することができる。
【０１５９】
尚、上述の如くＨＤコンテンツを再生することに加えて又は代えて、スクランブル／デスクランブル回路３５において生成されたＨＤコンテンツがハードディスク１０へ記録されるように構成してもよい。即ち、ＭＯＶＥ  ＢＡＣＫ動作（ＨＤ）が行なわれてもよい。
【０１６０】
尚、ＭＯＶＥ  ＢＡＣＫ動作とは、ＭＯＶＥ動作後に、再度そのデータを元の記録媒体に記録する動作を示す。具体的には、一の記録媒体に記録されているデータを他の記録媒体に記録するＭＯＶＥ動作を行なった後に、この他の記録媒体に記録されたデータを再度一の記録媒体に記録する動作を、ＭＯＶＥ  ＢＡＣＫ動作と称する。特に、ＨＤコンテンツとして元の記録媒体に記録する動作をＭＯＶＥ  ＢＡＣＫ動作（ＨＤ）と称し、ＳＤコンテンツとして元の記録媒体に記録する動作をＭＯＶＥ  ＢＡＣＫ動作（ＳＤ）と称して区別する。
【０１６１】
このＨＤコンテンツの記録動作と並行して、光ディスク２０に記録されているＳＤコンテンツが消去される（ステップＳ２０８）。これにより、コンテンツの著作権を保護することができる。ユーザは再度ハードディスク上に記録されたＨＤコンテンツを視聴することが可能となる。この場合、光ディスク２０に記録されている経緯情報も消去されるように構成してもよい。既にＨＤコンテンツがハードディスク１０に記録されているため、経緯情報は必要とされないからである。
【０１６２】
このとき、ハードディスク１０に記録されているスクランブルデータも合わせて消去することが好ましい。これにより、ハードディスク１０の記録容量をより有効に利用することが可能となる。
【０１６３】
この際、例えば図９に示すように、ＭＯＶＥ  ＢＡＣＫ動作を行なったＳＤコンテンツに対応するスクランブルデータを消去する旨を情報記録再生装置１のユーザに確認するウインドウ画面を、ディスプレイ等に表示するように構成してもよい。例えば図９においては、ＶＯＢ番号が“ＹＹＹ”にて特定されるＳＤコンテンツに対してＭＯＶＥ  ＢＡＣＫ動作が行なわれる際に、このＳＤコンテンツに付随する（即ち、対応する）スクランブルデータの消去の可否が確認されている。ここで、ユーザにより“Ｙｅｓ”が選択されれば、スクランブルデータの消去が行われる。他方、ユーザにより“Ｎｏ”が選択されれば、スクランブルデータの消去は行われない。
【０１６４】
このスクランブルデータ等を消去する動作の流れを、図１０のフローチャートを用いて簡単に説明する。ここに、図１０は、スクランブルデータ等を消去する動作の流れを概念的に示すフローチャートである。
【０１６５】
図１０に示す動作の前提として、図７のステップＳ２０１からＳ２０４における動作が行なわれ、情報記録再生装置１０に正規の（即ち、不正コピーが行われていない）光ディスク２０がローディングされたか否かが確認されているものとする。続いて、図９に例示する画面等を用いて、スクランブルデータの消去をする旨の指示がユーザからなされているか否かが判定される（ステップＳ３０１）。
【０１６６】
この判定の結果、スクランブルデータを消去する旨の指示がユーザからなされていると判定された場合（ステップＳ３０１：Ｙｅｓ）、対応する経緯情報が消去され（ステップＳ３０２）、光ディスク２０上のＳＤコンテンツが消去され（ステップＳ３０３）、対応する識別子が識別子情報より消去され（ステップＳ３０４）、対応するスクランブルデータが消去される（ステップＳ３０５）。
【０１６７】
他方、スクランブルデータを消去する旨の指示がユーザからなされていないと判定された場合（ステップＳ３０１：Ｎｏ）、対応する経緯情報が消去され（ステップＳ３０２）、光ディスク２０上のＳＤコンテンツが消去され（ステップＳ３０３）、対応する識別子が識別子情報より消去され（ステップＳ３０４）、対応するスクランブルデータは消去されない。但し、この場合、該スクランブルデータをデスクランブルするためのスクランブルキーを特定可能な経緯情報は、ステップＳ３０２において消去されているため、このスクランブルデータよりＨＤコンテンツを再生することはできず、結果としてコンテンツの著作権は好適に保護されている。
【０１６８】
尚、これらの動作は、光ディスク２０上に記録されているＳＤコンテンツに対してＭＯＶＥ  ＢＡＣＫ動作を行なう場合のみならず、例えば光ディスク２０上に記録されているＳＤコンテンツをユーザの指示により消去する場合にも行われる。
【０１６９】
更に、光ディスク２０上に複数のＳＤコンテンツが記録されている場合には、図１１に示すように、いずれのＳＤコンテンツに対してＭＯＶＥ  ＢＡＣＫ動作を行なうか（或いは、いずれのＳＤコンテンツを消去するか）否かをユーザに選択させるためのウインドウ画面を表示するように構成してもよい。そして、このウインドウ画面で選択されたＳＤコンテンツに対して、図１１に示す動作が行なわれる。
【０１７０】
加えて、ハードディスク１０に記録されているスクランブルデータを、上述のＭＯＶＥ  ＢＡＣＫ動作等とは別個独立して、ユーザの指示により消去されるように構成してもよい。この場合、例えば図１２に示すようにハードディスク１０上に記録されているスクランブルデータの一覧を示すウインドウ画面が表示されて、ユーザに消去を望むスクランブルデータを選択させるように構成してもよい。そして、ユーザにより所定のスクランブルデータが選択された場合には、図１３に示すように、改めて消去してもよいかを最終確認する画面を表示するように構成してもよい。即ち、ユーザの選択によりスクランブルデータが消去されてしまうと、そのスクランブルデータに対応するＨＤコンテンツを再生することができなくなるため、改めて最終確認することが好ましい。
【０１７１】
尚、ここでの、ハードディスク上に記録されているスクランブルデータの特定は、以下に説明するように行われる。
【０１７２】
ハードディスク１０上において、通常のＨＤコンテンツ（即ち、ＨＤコンテンツに係るファイル）は、図１４（ａ）に示すデータ構造を有して記録されている。図１４（ａ）に示すように、ＨＤコンテンツを特定するためのファイル識別子（即ち、ファイル名等）には、ＨＤコンテンツの実体を管理するためのファイル実体管理構造体のアドレス位置を指し示すポインタが含まれている。そして、このファイル実体管理構造体が有するファイル実体ポインタが、ハードディスク１０上におけるＨＤコンテンツのアドレス位置を指し示している。加えて、ファイル実体管理構造体には、特別識別子予約領域へのポインタが含まれている。そして、特別識別子予約領域には、ハードディスク１０上におけるＨＤコンテンツの暗号化（例えば、ローカルエンクリプション）の態様等を規定する暗号鍵の実体を管理するための暗号鍵実体管理構造体のアドレス位置を指し示すポインタが含まれている。そして、暗号化がなされている場合には、特別識別子予約領域には、暗号鍵記録識別情報が含まれている。  他方、ハードディスク１０上において、スクランブルデータ（即ち、スクランブルデータに係るファイル）は、図１４（ｂ）に示すデータ構造を有して記録されている。図１４（ｂ）に示すように、ファイル実体管理構造体に関するデータ構造は、通常のＨＤコンテンツと同様であるが、特別識別子予約領域には、暗号鍵記録識別情報が含まれていない。即ち、スクランブルデータはハードディスク１０上において暗号化されずに記録されているため、この暗号鍵記録識別情報の有無によってスクランブルデータを抽出し、図１２に示す一覧表示を行うことができる。
【０１７３】
但し、通常のＨＤコンテンツの全てを暗号化することなく記録する情報記録再生装置が存在する場合等においては、ＨＤコンテンツとスクランブルデータとの区別がつかない恐れが生ずる。従って、このようにスクランブルデータとＨＤコンテンツ等を区別する場合には、ＨＤコンテンツが暗号化されて記録される所定のディレクトリ中において、上述の区別及びスクランブルデータの抽出を行うことが好ましい。
【０１７４】
このＭＯＶＥ動作後のＨＤコンテンツの再生動作が実際に行なわれるブロック図上における構成要素を抽出すると、図８に示される。即ち、主としてハードディスクドライブ１１、光ディスクドライブ２１、ＭＰＥＧ  Ｄｅｍｕｘ３２、ビデオオーディオデコーディング３３、ダウンコンバータ／ＴＳ−ＰＳ変換器３４、スクランブル／デスクランブル回路３５、ＩＤＥコントローラ３６、ＡＴＡＰＩコントローラ３７、ＳＷ１、ＳＷ２及びＳＷ３等の動作により、上述したＭＯＶＥ動作が行なわれる。そして、太線にてデータの流れが示されるように、ＨＤコンテンツは、スクランブル／デスクランブル回路３５からＭＰＥＧ  Ｄｅｍｕｘ３２へ出力され、更にＭＰＥＧ  Ｄｅｍｕｘ３２からビデオオーディオデコーダ３３へ出力される。また、点線にてデータの流れが示されるように、スクランブルデータは、ＩＤＥコントローラ３６を介してスクランブル／デスクランブル回路３５へ出力される。また、２点鎖線にてデータの流れが示されるように、ＳＤコンテンツは、ＡＴＡＰＩコントローラ３７を介してＭＰＥＧ  Ｄｅｍｕｘ３２へ出力され、ＭＰＥＧ  Ｄｅｍｕｘ３２からビデオオーディオデコーダ３３へ出力される。
【０１７５】
（３）ＭＯＶＥ動作後のＳＤコンテンツ等の再生動作
先ず光ディスク２０よりＳＤコンテンツ等が読み取られ、復号化が行われる。そして、復号化されたＳＤコンテンツは、ＡＴＡＰＩコントローラ３７を介してＭＰＥＧ  Ｄｅｍｕｘ３２へ出力され、ＭＰＥＧ  Ｄｅｍｕｘ３２からビデオオーディオデコーダ３３へ出力することで、該ＳＤコンテンツを再生することができる。これによりユーザは、光ディスクに記録されたＳＤコンテンツ等を視聴することができる。この場合、光ディスク２０に記録されているコンテンツを再生しているため、経緯情報の有無・正否によらず、コンテンツの再生を行うことができる。
【０１７６】
他方、上述の如くＳＤコンテンツを再生することに加えて又は代えて、復号化されたＳＤコンテンツがハードディスク１０へ記録されるように構成してもよい。即ち、ＭＯＶＥ  ＢＡＣＫ動作（ＳＤ）が行われてもよい。このとき、経緯情報もハードディスク１０に記録されることが好ましい。後にスクランブル処理を行う際に必要とされるからである。そして特に、ＳＤコンテンツと対応付けられて記録されることが好ましい。
【０１７７】
このＳＤコンテンツの記録動作と並行して、光ディスク２０に記録されているＳＤコンテンツが消去される（ステップＳ２０８）。これにより、コンテンツの著作権を保護することができる。そして、ハードディスク１０よりＳＤコンテンツを再生することができる。
【０１７８】
このとき、ハードディスク１０に記録されているスクランブルデータは、ＨＤコンテンツを再生するために必要であるため、このまま残しておくことが好ましい。
【０１７９】
更に、このようにコンテンツを、予めＳＤコンテンツとしてハードディスク１０に記録しておけば、ハードディスク１０に記録されたＳＤコンテンツ及び経緯情報を、光ディスク２０へ記録する際（即ち、ＭＯＶＥ動作の際）に、複雑なデータ処理（例えば、ダウンコンバート処理やエンコーディング処理やデコーディング処理等）を行なう必要がなく、高速なＭＯＶＥ動作を実現することができる。
【０１８０】
以上説明したように、本実施例に係る情報記録再生装置１によれば、ハードディスク１０に記録されていたＨＤコンテンツを、ＳＤコンテンツに変換して光ディスク２０に記録した後であっても、上述の如くスクランブルデータを用いて再生動作を行なえば、再度ＨＤコンテンツを再生することが可能となる。そして、ＨＤコンテンツをＳＤコンテンツに変換して光ディスク２０に記録しても、ハードディスク１０には本来のＨＤコンテンツ或いはＳＤコンテンツとは全く異なるデータであるスクランブルデータしか記録されておらず、ユーザは、コンテンツの著作権を適切に保護しつつも、所望の再生品質に係るコンテンツを好適に視聴することが可能となる。
【０１８１】
加えて、識別子及び経緯情報に基づいてデスクランブル処理を行うことで、正規にスクランブル処理がなされたり或いは正規にムーブされた場合でなければ、ＨＤコンテンツを好適に再生することができない。従って、不正に複製されたＨＤコンテンツ等の不正な再生を好適に防ぐことができる。この結果、コンテンツの著作権をより好適に保護することができる。
【０１８２】
また、上述の実施例では、記録媒体の一例としてハードディスク１０及び光ディスク２０、並びに情報記録再生装置の一例としてハードディスク１０及び光ディスク２０に係るレコーダ（プレーヤ）について説明したが、本発明は、ハードディスク及び光ディスク、並びにそのレコーダ（プレーヤ）に限られるものではなく、他の各種記録媒体並びにそのレコーダ（プレーヤ）にも適用可能である。
【０１８３】
本発明は、上述した実施例に限られるものではなく、請求の範囲及び明細書全体から読み取れる発明の要旨或いは思想に反しない範囲で適宜変更可能であり、そのような変更を伴なう情報記録装置及び方法、情報再生装置及び方法、情報記録再生装置及び方法、並びに、記録制御用、再生制御用及び記録再生制御用のコンピュータプログラムもまた本発明の技術的範囲に含まれるものである。
【図面の簡単な説明】
【０１８４】
【図１】本発明の情報記録再生装置に係る実施例の基本構成を概念的に示すブロック図である。
【図２】本実施例に係る情報記録再生装置のＭＯＶＥ動作の流れを概念的に示すフローチャートである。
【図３】本実施例に係る情報記録再生装置に用いられる識別子情報を概念的に示すデータ構造図である。
【図４】本実施例に係る情報記録再生装置に用いられる経緯情報を概念的に示すデータ構造図である。
【図５】本実施例に係る情報記録装置の構成要素のうちＭＯＶＥ動作に関する構成要素を抜粋したブロック図である。
【図６】ＭＯＶＥ動作時のハードディスク及び光ディスクの夫々に記録されるデータを概念的に示す説明図である
【図７】本実施例に係る情報記録再生装置のＭＯＶＥ動作後のＨＤコンテンツの再生動作の流れを概念的に示すフローチャートである。
【図８】本実施例に係る情報記録装置の構成要素のうちＭＯＶＥ動作後のＨＤコンテンツの再生動作関する構成要素を抜粋したブロック図である。
【図９】スクランブルデータの消去の可否をユーザに確認するためのウインドウ画面の一具体例を示す説明図である。
【図１０】本実施例に係る情報記録再生装置における、スクランブルデータ等の消去動作の流れを概念的に示すフローチャートである。
【図１１】消去すべきＳＤコンテンツをユーザに選択させるためのウインドウ画面の一具体例を示す説明図である。
【図１２】消去すべきスクランブルデータをユーザに選択させるためのウインドウ画面の一具体例を示す説明図である。
【図１３】スクランブルデータの消去の可否をユーザに確認するためのウインドウ画面の一具体例を示す説明図である。
【図１４】通常のＨＤコンテンツ及びスクランブルデータの夫々の、ハードディスク上におけるデータ構造を概念的に示すデータ構造図である。
【符号の説明】
【０１８５】
１  情報記録再生装置
１０  ハードディスク
１１  ハードディスクドライブ
２０  光ディスク
２１  光ディスクドライブ
３４  ダウンコンバータ／ＴＳ−ＰＳ変換器
３５  スクランブル／デスクランブル回路
５０  ＣＰＵ
５１  ＲＡＭ
【図１】
2006024320.tif 000003
【図２】
2006024320.tif 000004
【図３】
2006024320.tif 000005
【図４】
2006024320.tif 000006
【図５】
2006024320.tif 000007
【図６】
2006024320.tif 000008
【図７】
2006024320.tif 000009
【図８】
2006024320.tif 000010
【図９】
2006024320.tif 000011
【図１０】
2006024320.tif 000012
【図１１】
2006024320.tif 000013
【図１２】
2006024320.tif 000014
【図１３】
2006024320.tif 000015
【図１４】
2006024320.tif 000016